(57)【要約】  基地局（１１）は、移動局（１２）の周辺セル（Ｃ２，Ｃ３）を形成する基地局に対して協調送信を要求する。取得部（１１ａ）は、移動局（１２）の周辺セル（Ｃ２，Ｃ３）についての各受信電力を取得する。算出部（１１ｂ）は、取得部（１１ａ）によって取得された各受信電力を、周辺セル（Ｃ２，Ｃ３）に応じた各係数で重み付けした各値を算出する。選択部（１１ｄ）は、算出部（１１ｂ）によって算出された各値に基づいて周辺セル（Ｃ２，Ｃ３）の中から協調送信を要求するセルを選択する。
2011052067.tif 000002
【特許請求の範囲】
【請求項１】
移動局の周辺セルを形成する基地局に対して協調送信を要求する基地局において、
前記移動局の周辺セルについての各受信電力を取得する取得部と、
前記取得部によって取得された各受信電力を、前記周辺セルに応じた各係数で重み付けした各値を算出する算出部と、
前記算出部によって算出された各値に基づいて前記周辺セルの中から前記協調送信を要求するセルを選択する選択部と、
を備えたことを特徴とする基地局。
【請求項２】
前記選択部によって選択されたセルを用いて前記協調送信を行う制御部を備えたことを特徴とする請求項１に記載の基地局。
【請求項３】
前記取得部は、前記移動局の所属セルの受信電力と、前記周辺セルのうちの前記所属セルとは異なる非所属セルの各受信電力と、を取得し、
前記算出部は、前記所属セルの受信電力に対する前記非所属セルの各受信電力の各比率を前記各係数で重み付けした値を算出することを特徴とする請求項１に記載の基地局。
【請求項４】
前記選択部は、前記各値を閾値と比較し、比較結果に基づいて前記協調送信を要求するセルを選択することを特徴とする請求項１に記載の基地局。
【請求項５】
前記周辺セルに応じた前記各係数を設定する設定部を備え、
前記設定部は、前記非所属セルのうちの、前記所属セルとのセル間通信の遅延量が相対的に小さい非所属セルに対して、前記遅延量が相対的に大きい非所属セルより大きな係数を設定することを特徴とする請求項３に記載の基地局。
【請求項６】
前記非所属セルの前記遅延量を取得する遅延量取得部を備え、
前記設定部は、前記遅延量取得部によって取得された遅延量に基づいて前記各係数を設定することを特徴とする請求項５に記載の基地局。
【請求項７】
前記設定部は、前記非所属セルのうちの、前記移動局の移動速度と前記遅延量との積が相対的に小さい非所属セルに対して、前記積が相対的に大きい非所属セルより大きな係数を設定することを特徴とする請求項５に記載の基地局。
【請求項８】
前記移動局の移動速度を推定する推定部を備え、
前記設定部は、前記推定部によって推定された移動速度に基づいて前記各係数を設定することを特徴とする請求項７に記載の基地局。
【請求項９】
前記周辺セルに応じた前記各係数を設定する設定部を備え、
前記設定部は、前記非所属セルに適用可能な協調通信方式に基づいて前記各係数を設定することを特徴とする請求項３に記載の基地局。
【請求項１０】
前記非所属セルから前記協調通信方式を取得する方式取得部を備え、
前記設定部は、前記協調通信方式によって取得された協調通信方式に基づいて前記各係数を設定することを特徴とする請求項９に記載の基地局。
【請求項１１】
移動局の周辺セルを形成する基地局に対して協調受信を要求する基地局において、
前記移動局から前記移動局の周辺セルへの各干渉電力を取得する取得部と、
前記取得部によって取得された各干渉電力を、前記周辺セルに応じた各係数で重み付けした各値を算出する算出部と、
前記算出部によって算出された各値に基づいて前記周辺セルの中から前記協調受信を要求するセルを選択する選択部と、
を備えたことを特徴とする基地局。
【請求項１２】
前記取得部は、前記周辺セルから前記移動局への各伝搬損失を前記各干渉電力として取得することを特徴とする請求項１１に記載の基地局。
【請求項１３】
移動局の周辺セルを形成する基地局に対して協調送信を要求する通信方法において、
前記移動局の周辺セルについての各受信電力を取得し、
取得された各受信電力を、前記周辺セルに応じた各係数で重み付けした各値を算出し、
算出された各値に基づいて前記周辺セルの中から前記協調送信を要求するセルを選択することを特徴とする通信方法。
【請求項１４】
移動局の周辺セルを形成する基地局に対して協調受信を要求する通信方法において、
前記移動局から前記移動局の周辺セルへの各干渉電力を取得し、
取得された各干渉電力を、前記周辺セルに応じた各係数で重み付けした各値を算出し、
算出された各値に基づいて前記協調受信を要求するセルを選択することを特徴とする通信方法。
【請求項１５】
自局の周辺セルからの各受信電力を前記周辺セルに応じた各係数によって重み付けされた各値に基づいて、前記周辺セルの中から選択された一部または全てのセルから協調送信されるデータを受信する受信部
を備えたことを特徴とする移動局。
【請求項１６】
自局から自局の周辺セルへの各干渉電力を前記周辺セルに応じた各係数によって重み付けされた各値に基づいて、前記周辺セルの中から選択された一部または全てのセルで協調受信されるデータを送信する送信部
を備えたことを特徴とする移動局。
【発明の詳細な説明】
【技術分野】
【０００１】
本発明は、無線通信を行う基地局、通信方法および移動局に関する。
【背景技術】
【０００２】
携帯電話などの移動通信システムにおいては、基地局が送受信可能なエリア（セル）を複数組み合わせて広いエリアをカバーし、移動局の移動に伴って基地局を切り替えながら通信を継続するセルラー方式が用いられている。現在は、たとえばＣＤＭＡ（Ｃｏｄｅ  Ｄｉｖｉｓｉｏｎ  Ｍｕｌｔｉｐｌｅ  Ａｃｃｅｓｓ）方式による第３世代移動通信方式のサービスが行われている。その一方で、より高速な通信を可能とする次世代移動通信方式が検討されている。【０００３】
たとえば、３ＧＰＰ（３ｒｄ  Ｇｅｎｅｒａｔｉｏｎ  Ｐａｒｔｎｅｒｓｈｉｐ  Ｐｒｏｊｅｃｔ）においては、ＬＴＥ（Ｌｏｎｇ  Ｔｅｒｍ  Ｅｖｏｌｕｔｉｏｎ）やＬＴＥ−ａｄｖａｎｃｅｄが検討されている（たとえば、下記非特許文献１参照。）。ＬＴＥ−ａｄｖａｎｃｅｄでは、スループットやカバレージ（セル端ユーザのスループット）の改善手法として、複数セルによる協調通信技術の導入が検討されている。下りリンク協調通信では、ある移動局に対して複数のセルからの下りリンク協調送信を行う。上りリンク協調通信では、ある移動局に対して複数のセルによる上りリンク協調受信を行う。【０００４】
ＬＴＥ−ａｄｖａｎｃｅｄにおいては、下りリンク協調送信方法として、たとえばＪｏｉｎｔ  ｔｒａｎｓｍｉｓｓｉｏｎ（ＪＴ）、Ｆａｓｔ  Ｃｅｌｌ  Ｓｅｌｅｃｔｉｏｎ（ＦＳ）、Ｃｏｏｒｄｉｎａｔｅｄ  Ｂｅａｍｆｏｒｍｉｎｇ（ＣＢ）、Ｃｏｏｒｄｉｎａｔｅｄ  Ｓｃｈｅｄｕｌｉｎｇ（ＣＳ）などが検討されている。【０００５】
またＬＴＥシステムにおいては、各基地局はハンドオーバや干渉制御のために互いに通信を行う。この通信に用いられる回線はＸ２インターフェースとして規定されている（たとえば、下記非特許文献２参照。）。ＬＴＥと同様に、ＬＴＥ−ａｄｖａｎｃｅｄにおいてもＸ２インターフェースのようなインターフェースが用いられると考えられる。【０００６】
協調通信において協調セルの数が多い場合は、移動局における測定処理や、移動局から基地局への測定結果通知情報が大きくなる。また、基地局間で送受信される制御情報も大きくなる。このため、あらかじめ少数のセルを候補セルとして選択する技術がある。候補セルの選択方法としては、たとえば周辺セルの参照信号の受信電力を用いるものがある。受信電力が大きいセルを候補セルとして選択することで、候補セルとして選択しない場合に大きな干渉源となるセルを候補セルとして選択して干渉を低減する。
【先行技術文献】
【非特許文献】
【０００７】
【非特許文献１】「３ＧＰＰ  ＴＲ  ３６．９１２  Ｖ９．０．０」、２００９年９月、２００９年１０月２１日検索、インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．４２３／３６４２３−９００．ｚｉｐ＞
【非特許文献２】「３ＧＰＰ  ＴＳ  ３６．４２３  Ｖ９．０．０」、２００９年９月、２００９年１０月２１日検索、インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．９１２／３６９１２−９００．ｚｉｐ＞
【発明の概要】
【発明が解決しようとする課題】
【０００８】
しかしながら、協調通信による干渉低減効果は協調セルの受信電力以外の要因によっても異なる。このため、受信電力に基づいて協調セルを選択する技術では干渉を十分に低減できず、通信品質を向上させることができないという問題がある。【０００９】
開示の基地局、通信方法および移動局は、上述した問題点を解消するものであり、通信品質を向上させることを目的とする。
【課題を解決するための手段】
【００１０】
上述した課題を解決し、目的を達成するため、開示技術は、移動局の周辺セルを形成する基地局に対して協調送信を要求する基地局において、前記移動局の周辺セルについての各受信電力を取得し、取得された各受信電力を、前記周辺セルに応じた各係数で重み付けした各値を算出し、算出された各値に基づいて前記周辺セルの中から前記協調送信を要求するセルを選択することを要件とする。
【発明の効果】
【００１１】
開示の基地局、通信方法および移動局によれば、通信品質を向上させることができる。
【図面の簡単な説明】
【００１２】
【図１−１】実施の形態１にかかる通信システムを示すブロック図である。
【図１−２】実施の形態１にかかる移動局の構成を示すブロック図である。
【図２】下りリンクにおける協調送信の第１の例を示す図である。
【図３】基地局間のネットワークの一例を示す図である。
【図４】下りリンクの協調送信における第２の例を示す図である。
【図５】下りリンクにおける基地局の動作例１を示すフローチャートである。
【図６】下りリンクにおける協調送信の処理の一例を示すシーケンス図である。
【図７】下りリンクにおける制御情報の定期的な送受信の一例を示すシーケンス図である。
【図８】下りリンクにおける協調セルの定期的な更新の一例を示すシーケンス図である。
【図９】下りリンクにおける基地局の動作例２を示すフローチャートである。
【図１０】下りリンクにおける基地局の動作例３を示すフローチャートである。
【図１１】複数のパラメータおよび重み関数の一例を示す図である。
【図１２−１】実施の形態２にかかる通信システムを示すブロック図である。
【図１２−２】実施の形態２にかかる移動局の構成を示すブロック図である。
【図１３】上りリンクにおける協調受信の第１の例を示す図である。
【図１４】上りリンクの協調受信における第２の例を示す図である。
【図１５】上りリンクにおける基地局の動作例１を示すフローチャートである。
【図１６】上りリンクにおける協調受信の処理の一例を示すシーケンス図である。
【図１７】上りリンクにおける制御情報の定期的な送受信の一例を示すシーケンス図である。
【図１８】上りリンクにおける協調セルの定期的な更新の一例を示すシーケンス図である。
【図１９】上りリンクにおける基地局の動作例２を示すフローチャートである。
【図２０】上りリンクにおける基地局の動作例３を示すフローチャートである。
【発明を実施するための形態】
【００１３】
以下に添付図面を参照して、この基地局、通信方法および移動局の好適な実施の形態を詳細に説明する。この基地局、通信方法および移動局は、協調通信を行う協調セルを、各セルに設定した係数により重み付けした各セルの受信電力に基づいて選択することで、干渉低減効果の大きいセルを優先的に協調セルとして選択し、通信品質を向上させる。
【００１４】
（実施の形態１）
実施の形態１においては、下りリンクにおける協調送信について説明する。
【００１５】
（通信システムの構成）
図１−１は、実施の形態１にかかる通信システムを示すブロック図である。図１−１に示す通信システム１０は、セルＣ１〜Ｃ３を含み、移動局１２に対して協調セルによる協調送信を行う通信システムである。基地局１１は、通信システム１０における基地局である。セルＣ１は、移動局１２の所属セルである。また、セルＣ１は、基地局１１によって管理されるセルである。セルＣ２，Ｃ３は、基地局１１によって管理されるセルでもよいし、基地局１１とは異なる基地局によって管理されるセルであってもよい。
【００１６】
基地局１１は、セルＣ１を用いて移動局１２と無線通信を行う。また、基地局１１は、移動局１２の周辺セル（たとえばセルＣ２，Ｃ３）を形成する基地局に対して協調送信を要求する基地局である。具体的には、基地局１１は、取得部１１ａと、設定部１１ｂと、算出部１１ｃと、選択部１１ｄと、制御部１１ｅと、を備えている。
【００１７】
取得部１１ａは、移動局１２の周辺セルから移動局１２への参照信号の各受信電力を取得する。具体的には、取得部１１ａは、移動局１２の所属セル（セルＣ１）の受信電力と、移動局１２の所属セルとは異なる非所属セル（セルＣ２，Ｃ３）の各受信電力と、を取得する。
【００１８】
たとえば、取得部１１ａは、周辺セルからの受信電力の測定を要求する周辺セル測定要求を移動局１２へ送信する。移動局１２は、取得部１１ａからの周辺セル測定要求に応じて、セルＣ１〜Ｃ３から送信される参照信号Ｓ１〜Ｓ３の受信電力を測定し、測定結果を基地局１１へ送信する。取得部１１ａは、移動局１２から送信された測定結果を取得する。取得部１１ａは、取得した各受信電力を算出部１１ｃへ通知する。
【００１９】
設定部１１ｂは、非所属セル（セルＣ２，Ｃ３）の重み付けの各係数を設定する。具体的には、設定部１１ｂは、非所属セルのうちの、協調送信に参加することによる干渉低減効果が大きいセルに対しては相対的に大きな係数を設定し、干渉低減効果が小さいセルに対しては相対的に小さな係数を設定する。設定部１１ｂによる各係数の設定の詳細については後述する。設定部１１ｂは、設定した各係数を算出部１１ｃへ通知する。
【００２０】
算出部１１ｃは、取得部１１ａから通知された各受信電力を、設定部１１ｂから通知された各係数で重み付けした各値を算出する。具体的には、算出部１１ｃは、所属セルの受信電力に対する非所属セルの各受信電力の各比率を各係数で重み付けした値を算出する。すなわち、算出部１１ｃは、セルＣ１とセルＣ２の受信電力の比率をセルＣ２の係数で重み付けした値と、セルＣ１とセルＣ３の受信電力の比率をセルＣ３の係数で重み付けした値と、を算出する。算出部１１ｃは、算出した各値を選択部１１ｄへ通知する。
【００２１】
選択部１１ｄは、移動局１２の非所属セル（セルＣ２，Ｃ３）の中から、算出部１１ｃから通知された各値に基づいて協調セルを選択する。具体的には、選択部１１ｄは、各値を閾値と比較し、比較結果に基づいて協調セルを選択する。たとえば、選択部１１ｄは、セルＣ２，Ｃ３のうちの、算出部１１ｃから通知された値が閾値以上のセルを協調セルとして選択する。選択部１１ｄは、選択した協調セルを制御部１１ｅへ通知する。
【００２２】
制御部１１ｅは、選択部１１ｄから通知された協調セルを用いて移動局１２に対する協調送信を行う。たとえば選択部１１ｄによってセルＣ２が協調セルとして選択された場合は、制御部１１ｅは、移動局１２の所属セルであるセルＣ１と、協調セルとして選択されたセルＣ２と、を用いて移動局１２に対する協調送信を行う。
【００２３】
具体的には、セルＣ２が基地局１１によって管理されるセルである場合は、制御部１１ｅは、セルＣ１およびセルＣ２が協調してデータを送信するようにセルＣ１およびセルＣ２を制御する。また、セルＣ２が基地局１１とは異なる基地局によって管理されるセルである場合は、制御部１１ｅは、セルＣ１によるデータの送信と協調してデータを送信するように、セルＣ２を管理する基地局へ協調通信要求を送信する。
【００２４】
たとえば、通信システム１０をＬＴＥ−ａｄｖａｎｃｅｄに適用する場合は、下りリンク協調通信方式として、ＪＴ、ＦＳ、ＣＢまたはＣＳなどを用いることができる。ＪＴにおいては、移動局１２に対して複数のセルより同一のデータを同じ無線リソースを用いて同時送信する。移動局１２では複数のセルからの信号が合成されたものが受信されるため、合成利得やダイバーシティ利得により、受信ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）が改善される。
【００２５】
ＦＳにおいては、移動局１２に対してデータを同時に送信するセルは１つであるが、無線伝搬状況に応じて送信するセルを切り替える。ＣＢおよびＣＳにおいては、同一無線リソースを用いて、協調セルでそれぞれ異なる移動局に対して送信を行うとともに、スケジューリングやプリコーディング制御等を協調制御する。協調制御により、お互いの干渉が小さくなるようにすることができるため、通信品質が改善できる。ＣＢにおいては、協調セル間で主にプリコーディングを協調制御する。ＣＳにおいては、協調セル間で主にスケジューリングを協調制御する。
【００２６】
上述した取得部１１ａは、たとえば移動局１２と無線通信を行う無線通信インターフェースによって実現することができる。また、設定部１１ｂ、算出部１１ｃおよび選択部１１ｄは、たとえばＣＰＵ（Ｃｅｎｔｒａｌ  Ｐｒｏｃｅｓｓｉｎｇ  Ｕｎｉｔ）などの演算回路によって実現される。また、制御部１１ｅは、たとえば移動局１２と無線通信を行う無線通信インターフェースやＣＰＵなどの演算回路によって実現される。
【００２７】
図１−２は、実施の形態１にかかる移動局の構成を示すブロック図である。図１−２において、図１−１に示した部分と同様の部分については同一の符号を付して説明を省略する。図１−２に示すように、実施の形態１にかかる移動局１２は、測定部１２ａと、通知部１２ｂと、受信部１２ｃと、を備えている。
【００２８】
測定部１２ａは、移動局１２（自局）の周辺セル（セルＣ１〜Ｃ３）から移動局１２への各受信電力を測定する。測定部１２ａは、測定した各受信電力を通知部１２ｂへ出力する。通知部１２ｂは、測定部１２ａから出力された各受信電力を基地局１１へ通知する（符号Ａ１）。たとえば基地局１１から周辺セル測定要求が送信されると、測定部１２ａが周辺セルからの各受信電力を測定し、測定結果を通知部１２ｂが基地局１１へ送信する。
【００２９】
これにより、基地局１１は、移動局１２の周辺セルの各受信電力を、移動局１２の周辺セルに設定された各係数によって重み付けした各値を算出し、算出した各値に基づいて協調セルを選択することができる。移動局１２の受信部１２ｃは、基地局１１によって選択された協調セルを用いて協調送信されるデータを受信する。
【００３０】
これにより、受信部１２ｃは、移動局１２の周辺セルからの各受信電力を周辺セルに応じた各係数によって重み付けされた各値に基づいて、周辺セルの中から選択された一部または全てのセルから協調送信されるデータを受信することができる。たとえば、受信部１２ｃは、セルＣ１とセルＣ２により協調送信されるデータＤ１，Ｄ３を受信する。
【００３１】
図２は、下りリンクにおける協調送信の第１の例を示す図である。通信システム２０は、基地局Ｎ１〜Ｎ７を含んでいる。基地局Ｎ１は、セルＣ１１〜Ｃ１３を管理する基地局である。同様に、基地局Ｎ２〜Ｎ７は、それぞれセルＣ２１〜Ｃ２３、セルＣ３１〜Ｃ３３、セルＣ４１〜Ｃ４３、セルＣ５１〜Ｃ５３、セルＣ６１〜Ｃ６３およびセルＣ７１〜Ｃ７３を管理する基地局である。
【００３２】
ここでは、移動局Ｕ１がセルＣ４１に位置している。この場合は、セルＣ４１が移動局Ｕ１の所属セル（移動局Ｕ１が登録されているセル）となる。また、通信システム２０においては、移動局Ｕ１の所属セルであるセルＣ４１とともに、セルＣ１３やセルＣ２３などの他のセルを用いて移動局Ｕ１に対する協調送信を行う。
【００３３】
図３は、基地局間のネットワークの一例を示す図である。図３に示すように、基地局Ｎ１〜Ｎ７は、たとえば経路Ｒ１２〜Ｒ１４，Ｒ２４，Ｒ２５，Ｒ３４，Ｒ３６，Ｒ４５〜Ｒ４７，Ｒ５７，Ｒ６７により互いに接続されている。たとえば、基地局Ｎ４は、経路Ｒ１４によって基地局Ｎ１と接続されている。また、基地局Ｎ４は、経路Ｒ２４によって基地局Ｎ２と接続されている。経路Ｒ１２〜Ｒ１４，Ｒ２４，Ｒ２５，Ｒ３４，Ｒ３６，Ｒ４５〜Ｒ４７，Ｒ５７，Ｒ６７のそれぞれは、たとえば有線の通信経路であり、たとえばＸ２インターフェースによって実現される。
【００３４】
（協調セルの選択）
つぎに、基地局Ｎ４によって協調セルを選択する場合について説明する。ここで、各セルのうちの移動局Ｕ１の所属セル（セルＣ４１）を除いたセルを非所属セルｉ（ｉ＝１，２，３，…）とする。基地局Ｎ４の算出部１１ｃは、たとえば下記（１）式の左辺の値を算出する。また、基地局Ｎ４の選択部１１ｄは、移動局Ｕ１の非所属セルｉのうちの、たとえば下記（１）式を満たす非所属セルｉを協調セルとして選択する。
【００３５】
【数１】
2011052067.tif 000003
【００３６】
上記（１）式において、受信電力Ｐ０は、移動局Ｕ１によって測定される所属セル（セルＣ４１）からの参照信号の受信電力である。受信電力Ｐｉは、移動局Ｕ１によって測定される非所属セルｉからの参照信号の受信電力である。係数ｗｉは、基地局Ｎ４の設定部１１ｂによって設定される非所属セルｉの重み付け係数である。γは閾値である。
【００３７】
このように、基地局Ｎ４の算出部１１ｃは、所属セルの受信電力Ｐ０に対する非所属セルｉの受信電力Ｐｉの各比率を係数ｗｉで重み付けした値を算出する。そして、基地局Ｎ４の選択部１１ｄは、算出部１１ｃによって算出された値と閾値γを比較し、算出部１１ｃによって算出された値が閾値γ以上の非所属セルｉを協調セルとして選択する。これにより、非所属セルｉのうちの、協調送信に参加することによる干渉低減効果が大きいセルを優先的に選択することができる。
【００３８】
（セル間通信の遅延量に基づく重み付け係数の設定）
基地局Ｎ４の設定部１１ｂは、上記（１）式の係数ｗｉをたとえば下記（２）式によって設定する。下記（２）式において、遅延量τｉは、移動局Ｕ１の所属セル（セルＣ４１）と非所属セルｉとの間のセル間通信の遅延量である。τＴＨは遅延量τｉの閾値である。
【００３９】
【数２】
2011052067.tif 000004
【００４０】
これにより、遅延量τｉが閾値τＴＨより小さい非所属セルｉの係数ｗｉが、遅延量τｉが閾値τＴＨ以上の非所属セルｉの係数ｗｉより大きくなる（α＞β）。このように、基地局Ｎ４は、遅延量τｉが相対的に小さい非所属セルｉの係数ｗｉを、遅延量τｉが相対的に大きい非所属セルｉの係数ｗｉより大きくする。
【００４１】
遅延量τｉが小さい非所属セルｉにおいては、スケジューリング情報やプリコーディング制御情報などの情報と、実際の無線伝搬路の状況と、のずれが小さい。したがって、遅延量τｉが小さい非所属セルｉは協調通信による干渉低減効果が大きい。このため、遅延量τｉが小さい非所属セルｉの係数ｗｉを大きくして優先的に協調セルとして選択することで、協調通信による干渉低減効果を向上させることができる。
【００４２】
基地局Ｎ４は、移動局Ｕ１の所属セルと非所属セルｉとの間のセル間通信の遅延量τｉを取得する遅延取得部を備える。基地局Ｎ４の遅延取得部は、たとえばＣＰＵなどの演算回路によって実現される。たとえば、移動局Ｕ１の所属セルと非所属セルｉとの間のセル間通信の遅延量τｉは、あらかじめ基地局Ｎ４のメモリに記憶されており、基地局Ｎ４の遅延取得部は、基地局Ｎ４のメモリから遅延量τｉを取得する。
【００４３】
または、基地局Ｎ４の遅延取得部は、セル間通信の遅延量τｉを測定してもよい。具体的には、基地局Ｎ４の遅延取得部は、非所属セルｉに対して応答要求信号を送信し、送信した応答要求信号に対する応答信号を受信するまでの時間を測定することで遅延量τｉを取得する。設定部１１ｂは、基地局Ｎ４の遅延取得部によって取得された遅延量τｉに基づいて係数ｗｉを設定する。
【００４４】
なお、非所属セルｉのうちのたとえばセルＣ４２，Ｃ４３は、移動局Ｕ１の所属セル（セルＣ４１）と同じ基地局Ｎ４によって管理されているため、セル間通信の遅延量はゼロとみなすことができる。このため、上記（２）式によれば、セルＣ４２，Ｃ４３は優先的に協調セルとして選択される。ここでは、協調送信を行う協調セルとして、セルＣ２３，Ｃ４２が選択されたとする。つぎに、セルＣ４１と、協調セルとして選択されたセルＣ２３，Ｃ４２と、による下りリンクの協調送信について説明する。
【００４５】
図４は、下りリンクの協調送信における第２の例を示す図である。図４において、図２に示した部分と同様の部分については同一の符号を付して説明を省略する。図４に示す例では、移動局Ｕ１がセルＣ４１に所属している。また、移動局Ｕ２がセルＣ２３に所属している。たとえば、通信システム２０においては、同一の基地局が管理する協調セルにはＪＴを適用し、異なる基地局が管理する協調セルにはＣＢを適用する。
【００４６】
具体的には、基地局Ｎ４は、セルＣ４１，Ｃ４２から移動局Ｕ１へ同時にデータを送信する（ＪＴ）。また、基地局Ｎ４は、移動局Ｕ２への干渉が小さくなるように移動局Ｕ１への信号のビームフォーミングを行う（ＣＢ）。また、基地局Ｎ２は、セルＣ２３を用いて移動局Ｕ２へデータを送信するとともに、移動局Ｕ１への干渉が小さくなるように移動局Ｕ２への信号のビームフォーミングを行う（ＣＢ）。
【００４７】
図５は、下りリンクにおける基地局の動作例１を示すフローチャートである。ここでは、移動局Ｕ１への協調送信を行う場合における基地局Ｎ４の動作の一例について説明する。基地局Ｎ４は、まず、移動局Ｕ１の非所属セルｉのそれぞれにおける、セルＣ４１とのセル間通信の遅延量τｉを取得する（ステップＳ５０１）。
【００４８】
つぎに、周辺セルから移動局Ｕ１への各受信電力を移動局Ｕ１から取得する（ステップＳ５０２）。ステップＳ５０２によって取得される各受信電力には、移動局Ｕ１の所属セル（セルＣ４１）からの受信電力Ｐ０と、非所属セルｉからの受信電力Ｐｉと、が含まれる。つぎに、ステップＳ５０１によって取得された遅延量τｉに基づいて、非所属セルｉの重み付け係数ｗｉを設定する（ステップＳ５０３）。
【００４９】
つぎに、ステップＳ５０２によって取得された各受信電力に基づいて、非所属セルｉからの相対受信電力（Ｐｉ／Ｐ０）を、ステップＳ５０３によって設定された重み付け係数ｗｉで重み付けした値を算出する（ステップＳ５０４）。非所属セルｉからの相対受信電力は、移動局Ｕ１の所属セル（セルＣ４１）からの受信電力Ｐ０に対する非所属セルｉからの受信電力Ｐｉの比率である。
【００５０】
つぎに、ステップＳ５０４によって算出された値に基づいて協調セルの候補を選択する（ステップＳ５０５）。つぎに、ステップＳ５０５によって選択された協調セルの候補に協調送信の可否を確認する（ステップＳ５０６）。つぎに、ＣＳＩの測定結果を示すＣＳＩ報告を移動局Ｕ１から受信する（ステップＳ５０７）。
【００５１】
つぎに、協調セルとの間でＣｏＭＰ（Ｃｏｏｒｄｉｎａｔｅｄ  Ｍｕｌｔｉｐｌｅ−Ｐｏｉｎｔ  ｔｒａｎｓｍｉｓｓｉｏｎ  ａｎｄ  ｒｅｃｅｐｔｉｏｎ）情報を送受信する（ステップＳ５０８）。ステップＳ５０８によってＣｏＭＰ情報を送受信する協調セルは、たとえば、ステップＳ５０５によって選択された協調セルの候補から、ステップＳ５０６によって移動局Ｕ１への協調送信が不可と確認されたセルを除外したセルである。
【００５２】
つぎに、ステップＳ５０８によってＣｏＭＰ情報を送受信した協調セルとともに移動局Ｕ１への協調送信を行い（ステップＳ５０９）、ステップＳ５０２へ戻る。以上のステップを繰り返し行うことで、基地局Ｎ４は、干渉低減効果が大きい非所属セルｉを協調セルとして優先的に選択することができる。
【００５３】
ステップＳ５０１においては、基地局Ｎ４は、たとえば基地局Ｎ４と基地局Ｎ１〜Ｎ３，Ｎ５〜Ｎ７との間の通信の各遅延量をあらかじめ記憶しておくことで、各セルについてのセル間通信の遅延量τｉを取得する。たとえば、基地局Ｎ４は、基地局Ｎ４と基地局Ｎ２との間の通信の遅延量を、セルＣ２３についての遅延量τｉとして取得する。また、基地局Ｎ４は、セルＣ４２は自身で管理するセルであるため、セルＣ４２についての遅延量τｉとして遅延量ゼロを取得する。
【００５４】
ステップＳ５０２においては、基地局Ｎ４は、たとえば、周辺セルからの参照信号の受信電力を測定することを要求する周辺セル測定要求を移動局Ｕ１へ送信する。移動局Ｕ１は、基地局Ｎ４から送信された周辺セル測定要求に応じて、周辺の各セルからの参照信号の受信電力を測定し、測定結果を基地局Ｎ４へ送信する。これにより、基地局Ｎ４は、周辺セルの各受信電力を取得することができる。
【００５５】
ステップＳ５０３においては、基地局Ｎ４は、たとえば上記（２）式によって重み付け係数を設定する。ステップＳ５０４においては、基地局Ｎ４は、たとえば上記（１）式の左辺によって、移動局Ｕ１の所属セルの受信電力Ｐ０に対する他の非所属セルＰｉの相対的な受信電力を、重み付け係数ｗｉで重み付けした値を算出する。ステップＳ５０５においては、基地局Ｎ４は、たとえば上記（１）式によって協調セルの候補を選択する。
【００５６】
ステップＳ５０６においては、基地局Ｎ４は、たとえば協調通信要求を協調セルの候補を管理する基地局へ送信し、協調通信要求に応じて送信された協調通信要求応答に基づいて協調送信の可否を確認する。ステップＳ５０７においては、基地局Ｎ４は、たとえばＣＳＩ報告を要求するＣＳＩ要求を移動局Ｕ１へ送信し、ＣＳＩ要求に応じて移動局Ｕ１から送信されたＣＳＩ報告を受信する。
【００５７】
また、ＣＳＩ報告の受信やＣｏＭＰ情報の送受信を定期的に行うようにしてもよい。たとえば、ステップＳ５０９の後にステップＳ５０７へ戻るようにする。これにより、移動局Ｕ１の移動などにより無線伝搬特性が変動しても、定期的に受信するＣＳＩ報告やＣｏＭＰ情報に基づいて通信パラメータを更新して適切な協調送信を行うことができる。
【００５８】
図６は、下りリンクにおける協調送信の処理の一例を示すシーケンス図である。まず、基地局Ｎ４が、セルＣ４１を用いて周辺セル測定要求を移動局Ｕ１へ送信する（ステップＳ６０１）。周辺セル測定要求は、周辺セルからの参照信号の受信電力の測定を要求する信号である。つぎに、移動局Ｕ１が、ステップＳ６０１によって送信された周辺セル測定要求に対する測定要求応答をセルＣ４１に送信する（ステップＳ６０２）。測定要求応答には、周辺セルからの参照信号の受信電力の測定結果が含まれている。
【００５９】
基地局Ｎ４は、ステップＳ６０２によって送信された測定要求応答に含まれる測定結果に基づいて協調セルの候補を選択する。ここでは、セルＣ２３およびセルＣ４２が協調セルの候補として選択されたとする。つぎに、基地局Ｎ４が、協調セルの候補として選択したセルＣ２３を管理する基地局Ｎ２に対して協調通信要求を送信する（ステップＳ６０３）。なお、セルＣ４２は基地局Ｎ４によって管理されるセルであるため、基地局Ｎ４はセルＣ４２に関する協調通信要求を送信しなくてもよい。
【００６０】
つぎに、基地局Ｎ２が、ステップＳ６０３によって基地局Ｎ４から送信された協調通信要求に対する協調送信の可否を示す協調通信要求応答を基地局Ｎ４へ送信する（ステップＳ６０４）。ここでは、協調送信が可能であることを示す協調通信要求応答が基地局Ｎ２から基地局Ｎ４へ送信されたとする。
【００６１】
つぎに、基地局Ｎ４が、セルＣ４１を用いて移動局Ｕ１へＣＳＩ要求を送信する（ステップＳ６０５）。また、基地局Ｎ２が、セルＣ２３を用いて移動局Ｕ２へＣＳＩ要求を送信する（ステップＳ６０６）。ＣＳＩ要求は、ＣＳＩの測定を要求する信号である。つぎに、移動局Ｕ１が、ステップＳ６０５によって送信されたＣＳＩ要求に応じてＣＳＩの測定を行い、測定結果を示すＣＳＩ報告をセルＣ４１へ送信する（ステップＳ６０７）。また、移動局Ｕ２が、ステップＳ６０６によって送信されたＣＳＩ要求に応じてＣＳＩの測定を行い、測定結果を示すＣＳＩ報告をセルＣ２３へ送信する（ステップＳ６０８）。
【００６２】
つぎに、基地局Ｎ４が、ＣｏＭＰ情報を基地局Ｎ２へ送信する（ステップＳ６０９）。また、基地局Ｎ２が、ＣｏＭＰ情報を基地局Ｎ４へ送信する（ステップＳ６１０）。ＣｏＭＰ情報は、協調送信に必要な情報を含む。
【００６３】
つぎに、基地局Ｎ４が、セルＣ４１およびセルＣ４２による協調送信（ＪＴ）により移動局Ｕ１へデータを送信する（ステップＳ６１１）。また、ステップＳ６１１において、基地局Ｎ４は、移動局Ｕ２への干渉が小さくなるように移動局Ｕ１への信号のビームフォーミングを行う（ＣＢ）。また、ステップＳ６１１においては、ステップＳ６０７によって受信されたＣＳＩ報告およびステップＳ６１０によって受信されたＣｏＭＰ情報に基づいて協調送信のパラメータが設定される。
【００６４】
また、基地局Ｎ２が、セルＣ２３により移動局Ｕ２へデータを送信する（ステップＳ６１２）。また、ステップＳ６１２において、基地局Ｎ２は、移動局Ｕ１への干渉が小さくなるように移動局Ｕ１への信号のビームフォーミングを行う（ＣＢ）。また、ステップＳ６１２においては、ステップＳ６０８によって受信されたＣＳＩ報告およびステップＳ６０９によって受信されたＣｏＭＰ情報に基づいて協調送信のパラメータが設定される。
【００６５】
図７は、下りリンクにおける制御情報の定期的な送受信の一例を示すシーケンス図である。図７においては、ＣＳＩ報告の受信やＣｏＭＰ情報の送受信を定期的に行う場合について説明する。たとえば図６に示したステップＳ６１２の後に、基地局Ｎ４が、セルＣ４１を用いて移動局Ｕ１へＣＳＩ要求を送信する（ステップＳ７０１）。また、基地局Ｎ２が、セルＣ２３を用いて移動局Ｕ２へＣＳＩ要求を送信する（ステップＳ７０２）。
【００６６】
つぎに、移動局Ｕ１が、ステップＳ７０１によって送信されたＣＳＩ要求に応じてＣＳＩの測定を行い、測定結果を示すＣＳＩ報告をセルＣ４１へ送信する（ステップＳ７０３）。また、移動局Ｕ２が、ステップＳ７０２によって送信されたＣＳＩ要求に応じてＣＳＩの測定を行い、測定結果を示すＣＳＩ報告をセルＣ２３へ送信する（ステップＳ７０４）。つぎに、基地局Ｎ４がＣｏＭＰ情報を基地局Ｎ２へ送信する（ステップＳ７０５）。また、基地局Ｎ２がＣｏＭＰ情報を基地局Ｎ４へ送信する（ステップＳ７０６）。
【００６７】
つぎに、基地局Ｎ４が、セルＣ４１およびセルＣ４２による協調送信により移動局Ｕ１へデータを送信する（ステップＳ７０７）。また、基地局Ｎ２が、セルＣ２３により移動局Ｕ２へデータを送信する（ステップＳ７０８）。つぎに、基地局Ｎ４が、セルＣ４１およびセルＣ４２による協調送信により移動局Ｕ１へデータを送信する（ステップＳ７０９）。また、基地局Ｎ２が、セルＣ２３により移動局Ｕ２へデータを送信する（ステップＳ７１０）。つぎに、基地局Ｎ４が、セルＣ４１およびセルＣ４２による協調送信により移動局Ｕ１へデータを送信する（ステップＳ７１１）。また、基地局Ｎ２が、セルＣ２３により移動局Ｕ２へデータを送信する（ステップＳ７１２）。
【００６８】
ステップＳ７０７，Ｓ７０９，Ｓ７１１において、基地局Ｎ４は、移動局Ｕ２への干渉が小さくなるように移動局Ｕ１への信号のビームフォーミングを行う。また、ステップＳ７０７，Ｓ７０９，Ｓ７１１において、基地局Ｎ４は、ステップＳ７０３によって受信されたＣＳＩ報告およびステップＳ７０６によって受信されたＣｏＭＰ情報に基づいて協調送信のパラメータを設定する。
【００６９】
ステップＳ７０８，Ｓ７１０，Ｓ７１２において、基地局Ｎ２は、移動局Ｕ１への干渉が小さくなるように移動局Ｕ２への信号のビームフォーミングを行う。また、ステップＳ７０８，Ｓ７１０，Ｓ７１２において、基地局Ｎ２は、ステップＳ７０４によって受信されたＣＳＩ報告およびステップＳ７０５によって受信されたＣｏＭＰ情報に基づいて協調送信のパラメータを設定する。
【００７０】
ステップＳ７１３〜Ｓ７２２は、ステップＳ７０１〜Ｓ７１０と同様であるため説明を省略する。このように、移動局Ｕ１および移動局Ｕ２への協調送信を行いながら、ＣＳＩ報告の受信やＣｏＭＰ情報の送受信を定期的に行うことで、移動局Ｕ１や移動局Ｕ２の移動などにより無線伝搬特性が変動しても適切な協調送信を行うことができる。
【００７１】
図８は、下りリンクにおける協調セルの定期的な更新の一例を示すシーケンス図である。図８に示すステップＳ８０１〜Ｓ８０４は、図６に示したステップＳ６０１〜Ｓ６０４と同様である。ステップＳ８０４の後に一定時間が経過すると、基地局Ｎ４が、セルＣ４１を用いて周辺セル測定要求を移動局Ｕ１へ送信する（ステップＳ８０５）。
【００７２】
つぎに、移動局Ｕ１が、ステップＳ８０５によって送信された周辺セル測定要求に対する測定要求応答をセルＣ４１に送信する（ステップＳ８０６）。セルＣ４１は、ステップＳ８０６によって送信された測定要求応答に含まれる測定結果に基づいて協調セルの候補を選択する。ここでは、セルＣ３１およびセルＣ４２が協調セルの候補として選択されたとする。
【００７３】
つぎに、基地局Ｎ４が、協調セルの候補として選択されなかったセルＣ２３を管理する基地局Ｎ２に対して協調通信終了通知を送信する（ステップＳ８０７）。つぎに、基地局Ｎ２が、ステップＳ８０７によって送信された協調通信終了通知に対する終了通知応答を基地局Ｎ４へ送信する（ステップＳ８０８）。
【００７４】
つぎに、基地局Ｎ４が、協調セルの候補として選択したセルＣ３１に対して協調通信要求を送信する（ステップＳ８０９）。つぎに、基地局Ｎ３が、ステップＳ８０９によって送信された協調通信要求に対する協調送信の可否を示す協調通信要求応答を基地局Ｎ４へ送信する（ステップＳ８１０）。ここでは、協調送信が可能であることを示す協調通信要求応答が基地局Ｎ３から基地局Ｎ４へ送信されたとする。
【００７５】
これにより、セルＣ２３およびセルＣ４２を用いた協調送信から、セルＣ３１およびセルＣ４２を用いた協調送信に切り替えることができる。このように、移動局Ｕ１における受信電力を定期的に測定して協調セルを更新することで、移動局Ｕ１の移動などにより無線伝搬特性が変動しても適切な協調送信を行うことができる。
【００７６】
（移動局の移動速度に基づく重み付け係数の設定）
基地局Ｎ４は、上記（１）式の係数ｗｉを、たとえば下記（３）式によって設定してもよい。下記（３）式において、遅延量τｉは、移動局Ｕ１の所属セル（セルＣ４１）と非所属セルｉとの間のセル間通信の遅延量である。推定速度ｖｊは、移動局ｊの所属セル（セルＣ４１）において推定した移動局ｊの推定速度である。閾値ｃＴＨは、遅延量τｉと推定速度ｖｊの積の閾値である。
【００７７】
【数３】
2011052067.tif 000005
【００７８】
これにより、遅延量τｉと推定速度ｖｊの積が閾値ｃＴＨより小さい非所属セルｉの係数ｗｉは、遅延量τｉと推定速度ｖｊの積が閾値ｃＴＨ以上の非所属セルｉの係数ｗｉより大きくなる（α＞β）。このように、基地局Ｎ４は、セル間通信の遅延量と推定速度の積が相対的に小さい非所属セルｉの係数ｗｉを、セル間通信の遅延量と推定速度の積が相対的に大きい非所属セルｉのセル間通信の係数ｗｉより大きくする。
【００７９】
セル間通信の遅延量が小さい非所属セルｉにおいては、スケジューリング情報やプリコーディング制御情報などの情報と、実際の無線伝搬路の状況と、のずれが小さい。また、このずれは、移動局の移動速度が小さいほど小さくなる。このため、遅延量τｉと推定速度ｖｊの積が小さい非所属セルｉは協調通信による干渉低減効果が大きい。このため、遅延量τｉと推定速度ｖｊの積が小さい非所属セルｉの係数ｗｉを大きくして優先的に協調セルとして選択することで、協調通信による干渉低減効果を向上させることができる。
【００８０】
基地局Ｎ４は、移動局Ｕ１の移動速度を推定速度ｖｊとして推定する推定部を備える。基地局Ｎ４の推定部は、たとえばＣＰＵなどの演算回路によって実現される。基地局Ｎ４の推定部は、たとえば、基地局Ｎ４が管理するセルＣ４１〜Ｃ４３におけるハンドオーバのために、定期的に各移動局の移動速度を推定している。設定部１１ｂは、基地局Ｎ４の推定部によって推定された推定速度ｖｊに基づいて係数ｗｉを設定する。
【００８１】
図９は、下りリンクにおける基地局の動作例２を示すフローチャートである。ここでは、遅延量τｉと推定速度ｖｊの積に基づいて係数ｗｉを設定する場合における基地局Ｎ４の動作の一例について説明する。図９に示すステップＳ９０１，Ｓ９０２は、図５に示したステップＳ５０１，Ｓ５０２と同様であるため説明を省略する。ステップＳ９０２のつぎに、基地局Ｎ４は、移動局Ｕ１の移動速度を推定する（ステップＳ９０３）。
【００８２】
図９に示すステップＳ９０４〜Ｓ９１０は、図５に示したステップＳ５０３〜Ｓ５０９と同様である。ただしステップＳ９０４においては、ステップＳ９０１によって取得された遅延量τｉと、ステップＳ９０３によって推定された移動局Ｕ１の推定速度ｖｊと、に基づいて非所属セルｉの重み付け係数ｗｉを設定する（ステップＳ９０４）。
【００８３】
このように、移動局Ｕ１の推定速度ｖｊを推定し、遅延量τｉおよび推定速度ｖｊに基づいて非所属セルｉの重み付け係数ｗｉを設定することで、干渉低減効果が大きい非所属セルｉを協調セルとして優先的に選択することができる。
【００８４】
（適用可能な協調通信方式に基づく重み付け係数の設定）
基地局Ｎ４は、上記（１）式の係数ｗｉを、たとえば下記（４）式によって設定してもよい。下記（４）式において、条件「ＪＴ  ｃａｎ  ｂｅ  ｕｓｅｄ」は、非所属セルｉにおいてＪＴが適用可能なことを示す条件である。条件「ｏｎｌｙ  ＣＢ／ＣＳ  ｃａｎ
ｂｅ  ｕｓｅｄ」は、非所属セルｉにおいてＣＢまたはＣＳのみが適用可能であり、ＪＴが適用不可であることを示す条件である。
【００８５】
【数４】
2011052067.tif 000006
【００８６】
これにより、ＪＴが適用可能な非所属セルｉの係数ｗｉは、ＪＴが適用不可の非所属セルｉの係数ｗｉより大きくなる（α＞β）。このように、基地局Ｎ４は、適用可能な協調通信方式に応じて非所属セルｉの係数ｗｉを設定する。
【００８７】
ＪＴが適用可能な非所属セルｉは、ＪＴが適用不可の非所属セルｉに比べて協調通信による干渉低減効果が大きい。このため、ＪＴが適用可能な非所属セルｉの係数ｗｉをＪＴが適用不可の非所属セルｉの係数ｗｉより大きくして協調セルとして優先的に選択することで、協調通信による干渉低減効果を向上させることができる。
【００８８】
基地局Ｎ４は、非所属セルｉの適用可能な協調通信方式を取得する方式取得部を備える。基地局Ｎ４の方式取得部は、たとえばＣＰＵなどの演算回路によって実現される。たとえば、非所属セルｉの適用可能な協調通信方式を含む情報は、あらかじめ基地局Ｎ４のメモリに記憶されており、基地局Ｎ４の方式取得部は、非所属セルｉの適用可能な協調通信方式を基地局Ｎ４のメモリから取得する。
【００８９】
または、基地局Ｎ４の方式取得部は、非所属セルｉの適用可能な協調通信方式を非所属セルｉから受信してもよい。具体的には、基地局Ｎ４の方式取得部は、非所属セルｉに対して方式通知要求を送信し、送信した方式通知要求に対して非所属セルｉから通知された情報により、非所属セルｉの適用可能な協調通信方式を取得する。設定部１１ｂは、基地局Ｎ４の方式取得部によって取得された協調通信方式に基づいて係数ｗｉを設定する。
【００９０】
図１０は、下りリンクにおける基地局の動作例３を示すフローチャートである。ここでは、適用可能な協調通信方式に基づいて係数ｗｉを設定する場合における基地局Ｎ４の動作の一例について説明する。基地局Ｎ４は、まず、移動局Ｕ１の周辺セルに関する周辺セル情報を取得する（ステップＳ１００１）。周辺セル情報には、非所属セルｉの適用可能な協調通信方式を示す情報が含まれている。
【００９１】
図１０に示すステップＳ１００２〜Ｓ１００９は、図５に示したステップＳ５０２〜Ｓ５０９と同様である。ただしステップＳ１００３においては、ステップＳ１００１によって取得された周辺セル情報に含まれる非所属セルｉの適用可能な協調通信方式に基づいて非所属セルｉの重み付け係数ｗｉを設定する。
【００９２】
このように、周辺セル情報を取得し、非所属セルｉの適用可能な協調通信方式に基づいて非所属セルｉの重み付け係数ｗｉを設定することで、協調通信による干渉低減効果が大きい非所属セルｉを協調セルとして選択することができる。
【００９３】
（複数のパラメータに基づく重み付け係数の設定）
基地局Ｎ４は、上記（１）式の係数ｗｉを、たとえば下記（５）式によって設定してもよい。下記（５）式において、重み関数ｆｋは、第ｋパラメータによる重み関数である。ｘｋは、第ｋパラメータである。ｃは定数である。
【００９４】
【数５】
2011052067.tif 000007
【００９５】
図１１は、複数のパラメータおよび重み関数の一例を示す図である。基地局Ｎ４のメモリには、たとえば図１１に示すテーブル１１００が記憶されている。テーブル１１００は、第ｋパラメータ（ｋ＝１〜５）と重み関数ｆｋとを対応付けている。第１パラメータは、非所属セルｉにおけるセル間通信の遅延量であり、たとえば上述した遅延量τｉである。第１パラメータに対応する重み関数ｆ１は、遅延量の増加と共に減少する関数である。
【００９６】
第２パラメータは、移動局の移動速度であり、たとえば上述した推定速度ｖｊである。第２パラメータに対応する重み関数ｆ２は、移動速度の増加と共に減少する関数である。第３パラメータは、非所属セルｉにおいて適用可能な協調通信方式である。第３パラメータに対応する重み関数ｆ３は、ＪＴが適用可能な場合に、ＣＢまたはＣＳが適用可能な場合（ＪＴが適用不可の場合）より大きくなる関数である。
【００９７】
第４パラメータは、非所属セルｉの送信アンテナ数である。第４パラメータに対応する重み関数ｆ４は、アンテナ数の減少と共に減少する関数である。第５パラメータは、非所属セルｉにおけるユーザ多重数である。第５パラメータに対応する重み関数ｆ５は、ユーザ多重数の増加と共に減少する関数である。
【００９８】
たとえば、基地局Ｎ４の設定部１１ｂは、第３〜第４パラメータなどの情報を含む周辺セル情報を各基地局から受信し、受信した周辺セル情報、テーブル１１００および上記（５）式を用いて非所属セルｉの係数ｗｉを設定する。
【００９９】
このように、実施の形態１にかかる基地局によれば、協調送信を行う協調セルを、各セルに設定した係数により重み付けした各セルの受信電力に基づいて選択することで、干渉低減効果の大きいセルを優先的に協調セルとして選択することができる。これにより、干渉を低減し、通信品質を向上させることができる。また、干渉低減効果の小さいセルを協調セルから除外することで、協調送信を行うために通信を行う協調セル数、移動局における測定処理、移動局から基地局へのフィードバック情報量などを低減することができる。
【０１００】
（実施の形態２）
実施の形態１においては下りリンクにおける協調送信について説明したが、実施の形態２においては上りリンクにおける協調受信について説明する。
【０１０１】
（通信システムの構成）
図１２−１は、実施の形態２にかかる通信システムを示すブロック図である。図１２−１において、図１に示した部分と同様の部分については同一の符号を付して説明を省略する。図１２−１に示す通信システム１０は、移動局１２に対して協調セルによる協調受信を行う通信システムである。基地局１１は、移動局１２の周辺セル（たとえばセルＣ２，Ｃ３）を形成する基地局に対して協調受信を要求する基地局である。
【０１０２】
基地局１１の取得部１１ａは、移動局１２から移動局１２の周辺セルへの各干渉電力を取得する。具体的には、取得部１１ａは、移動局１２の所属セル（セルＣ１）の干渉電力と、移動局１２の所属セルとは異なる非所属セル（セルＣ２，Ｃ３）の各干渉電力と、を取得する。取得部１１ａは、取得した各伝搬損失を算出部１１ｃへ通知する。
【０１０３】
たとえば、取得部１１ａは、移動局１２から周辺セルへの干渉電力として、周辺セルから移動局１２へ送信された下りリンクの参照信号の各伝搬損失を取得する。具体的には、取得部１１ａは、移動局１２から周辺セルへの伝搬損失の推定を要求する周辺セル推定要求を移動局１２へ送信する。移動局１２は、取得部１１ａからの周辺セル推定要求に応じて、セルＣ１〜Ｃ３から送信される参照信号の伝搬損失を推定し、推定結果を基地局１１へ送信する。取得部１１ａは、移動局１２から送信された各伝搬損失を取得する。
【０１０４】
または、取得部１１ａは、移動局１２から周辺セルへの干渉電力として、移動局１２からセルＣ１〜Ｃ３へ送信される上りリンクの参照信号Ｓ１〜Ｓ３の伝搬損失をセルＣ１〜Ｃ３から取得してもよい。具体的には、取得部１１ａは、移動局１２から周辺セルへの伝搬損失の推定を要求する周辺セル推定要求を移動局１２へ送信する。移動局１２は、取得部１１ａからの周辺セル推定要求に応じて、セルＣ１〜Ｃ３へ参照信号Ｓ１〜Ｓ３を送信する。そして、移動局１２は、参照信号Ｓ１〜Ｓ３に基づいてセルＣ１〜Ｃ３によって推定された各伝搬損失をセルＣ１〜Ｃ３から受信し、受信した各伝搬損失を基地局１１へ送信する。取得部１１ａは、移動局１２から送信された各伝搬損失を取得する。
【０１０５】
算出部１１ｃは、取得部１１ａから通知された各干渉電力を、設定部１１ｂから通知された各係数で重み付けした各値を算出する。具体的には、算出部１１ｃは、所属セルの干渉電力に対する非所属セルの各干渉電力の各比率を各係数で重み付けした値を算出する。すなわち、算出部１１ｃは、セルＣ１とセルＣ２の干渉電力の比率をセルＣ２の係数で重み付けした値と、セルＣ１とセルＣ３の干渉電力の比率をセルＣ３の係数で重み付けした値と、を算出する。算出部１１ｃは、算出した各値を選択部１１ｄへ通知する。
【０１０６】
制御部１１ｅは、選択部１１ｄから通知された協調セルを用いて移動局１２に対する協調受信を行う。たとえば選択部１１ｄによってセルＣ２が協調セルとして選択された場合は、制御部１１ｅは、移動局１２の所属セルであるセルＣ１と、協調セルとして選択されたセルＣ２と、を用いて移動局１２に対する協調受信を行う。
【０１０７】
具体的には、セルＣ２が基地局１１によって管理されるセルである場合は、制御部１１ｅは、セルＣ１およびセルＣ２が協調してデータを受信するようにセルＣ１およびセルＣ２を制御する。また、セルＣ２が基地局１１とは異なる基地局によって管理されるセルである場合は、制御部１１ｅは、セルＣ１によるデータの受信と協調してデータを受信するように、セルＣ２を管理する基地局へ協調通信要求を送信する。
【０１０８】
図１２−２は、実施の形態２にかかる移動局の構成を示すブロック図である。図１２−２において、図１−２に示した部分と同様の部分については同一の符号を付して説明を省略する。図１２−２に示すように、実施の形態２にかかる移動局１２は、推定部１２ｄと、通知部１２ｂと、送信部１２ｅと、を備えている。
【０１０９】
推定部１２ｄは、移動局１２（自局）から周辺セル（セルＣ１〜Ｃ３）への各干渉電力を推定する。推定部１２ｄは、測定した各干渉電力を通知部１２ｂへ出力する。通知部１２ｂは、推定部１２ｄから出力された各干渉電力を基地局１１へ通知する（符号Ａ２）。たとえば、基地局１１から周辺セル推定要求が送信されると、推定部１２ｄが周辺セルへの各干渉電力を測定し、測定結果を通知部１２ｂが基地局１１へ送信する。
【０１１０】
これにより、基地局１１は、移動局１２から周辺セルへの各干渉電力を、移動局１２の周辺セルに設定された各係数によって重み付けした各値を算出し、算出した各値に基づいて協調セルを選択することができる。移動局１２の送信部１２ｅは、基地局１１によって選択された協調セルを用いて協調受信されるデータを送信する。
【０１１１】
これにより、送信部１２ｅは、移動局１２から周辺セルへの各干渉電力を周辺セルに応じた各係数によって重み付けされた各値に基づいて、周辺セルの中から選択された一部または全てのセルで協調受信されるデータを送信することができる。たとえば、送信部１２ｅは、セルＣ１とセルＣ２により協調受信されるデータＤ１，Ｄ３を送信する。
【０１１２】
図１３は、上りリンクにおける協調受信の第１の例を示す図である。図１３において、図２に示した部分と同様の部分については同一の符号を付して説明を省略する。ここでは、通信システム２０において、移動局Ｕ１の所属セルであるセルＣ４１とともに、セルＣ１３やセルＣ２３などの他のセルを用いて移動局Ｕ１からのデータを協調受信する。
【０１１３】
（協調セルの選択）
つぎに、基地局Ｎ４によって協調セルを選択する場合について説明する。基地局Ｎ４は、移動局Ｕ１の非所属セルｉのうちの、たとえば下記（６）式を満たす非所属セルｉを協調セルとして選択する。
【０１１４】
【数６】
2011052067.tif 000008
【０１１５】
上記（６）式において、伝搬損失ＰＬ０は、移動局Ｕ１から移動局Ｕ１の所属セル（セルＣ４１）への参照信号の伝搬損失である。伝搬損失ＰＬｉは、移動局Ｕ１から非所属セルｉへの参照信号の伝搬損失である。係数ｗｉは、非所属セルｉの重み付け係数である。γは閾値である。係数ｗｉの設定については、実施の形態１において説明した係数ｗｉの設定と同様であるため、説明を省略する。
【０１１６】
図１４は、上りリンクの協調受信における第２の例を示す図である。図１４において、図４または図１３に示した部分と同様の部分については同一の符号を付して説明を省略する。通信システム２０において、基地局Ｎ４は、セルＣ４１，Ｃ４２によって移動局Ｕ１からのデータを同時に受信する（ＪＴ）。また、移動局Ｕ１は、セルＣ２３への干渉が小さくなるようにセルＣ４１，Ｃ４２への信号のビームフォーミングを行う（ＣＢ）。
【０１１７】
また、基地局Ｎ２は、セルＣ２３を用いて移動局Ｕ２からのデータを受信する。また、移動局Ｕ２は、セルＣ４１，Ｃ４２への干渉が小さくなるようにセルＣ２３への信号のビームフォーミングを行う（ＣＢ）。
【０１１８】
図１５は、上りリンクにおける基地局の動作例１を示すフローチャートである。ここでは、移動局Ｕ１からのデータの協調受信を行う場合における基地局Ｎ４の動作の一例について説明する。基地局Ｎ４は、まず、移動局Ｕ１の非所属セルｉのそれぞれにおける、セルＣ４１とのセル間通信の遅延量τｉを取得する（ステップＳ１５０１）。
【０１１９】
つぎに、移動局Ｕ１により推定される移動局Ｕ１と周辺セルとの間の各伝搬損失を取得する（ステップＳ１５０２）。移動局Ｕ１と周辺セルとの間の各伝搬損失には、移動局Ｕ１の所属セル（セルＣ４１）の伝搬損失ＰＬ０と、非所属セルｉの伝搬損失ＰＬｉと、が含まれる。つぎに、ステップＳ１５０１によって取得された遅延量τｉに基づいて、非所属セルｉの重み付け係数ｗｉを設定する（ステップＳ１５０３）。
【０１２０】
つぎに、ステップＳ１５０２によって取得された各伝搬損失に基づいて、相対伝搬損失を、ステップＳ１５０３によって設定された重み付け係数ｗｉで重み付けした値を算出する（ステップＳ１５０４）。相対伝搬損失は、移動局Ｕ１の所属セルの伝搬損失ＰＬ０に対する非所属セルｉの伝搬損失ＰＬｉの比率である。つぎに、ステップＳ１５０４によって算出された値に基づいて協調セルの候補を選択する（ステップＳ１５０５）。
【０１２１】
つぎに、ステップＳ１５０５によって選択された協調セルの候補に協調受信の可否を確認する（ステップＳ１５０６）。つぎに、協調セルとの間でＣｏＭＰ情報を送受信する（ステップＳ１５０７）。ＣｏＭＰ情報を送受信する協調セルは、たとえば、ステップＳ１５０５によって選択された協調セルの候補から、ステップＳ１５０６によって協調受信が不可と確認されたセルを除外したセルである。ＣｏＭＰ情報は、たとえば、移動局Ｕ１からの参照信号に基づいて上りリンクの伝搬路推定を行い、推定結果に基づいてスケジューリングや協調受信におけるアンテナ重み付け情報などを計算した値である。
【０１２２】
つぎに、ステップＳ１５０７によってＣｏＭＰ情報を送受信した協調セルとともに移動局Ｕ１からのデータの協調受信を行い（ステップＳ１５０８）、ステップＳ１５０２へ戻る。以上のステップを繰り返し行うことで、基地局Ｎ４は、干渉低減効果が大きい非所属セルｉを協調セルとして優先的に選択することができる。
【０１２３】
ステップＳ１５０２においては、基地局Ｎ４は、たとえば、移動局Ｕ１から周辺セルの各伝搬損失を推定することを要求する周辺セル推定要求を移動局Ｕ１へ送信する。移動局Ｕ１は、基地局Ｎ４から送信された周辺セル推定要求に応じて、周辺セルとの間の各伝搬損失を推定し、推定結果を基地局Ｎ４へ送信する。これにより、基地局Ｎ４は、周辺セルの各伝搬損失を取得することができる。
【０１２４】
ステップＳ１５０４においては、基地局Ｎ４は、たとえば上記（６）式によって、移動局Ｕ１の所属セルの伝搬損失ＰＬ０に対する非所属セルＰｉの相対的な伝搬損失を、重み付け係数ｗｉで重み付けした値を算出する。また、ＣｏＭＰ情報の送受信を定期的に行うようにしてもよい。たとえば、ステップＳ１５０８の後にステップＳ１５０７へ戻るようにする。これにより、移動局Ｕ１の移動などにより無線伝搬特性が変動しても、定期的に受信するＣＳＩ報告やＣｏＭＰ情報に基づいて通信パラメータを更新して適切な協調受信を行うことができる。
【０１２５】
図１６は、上りリンクにおける協調受信の処理の一例を示すシーケンス図である。まず、基地局Ｎ４が、セルＣ４１を用いて周辺セル推定要求を移動局Ｕ１へ送信する（ステップＳ１６０１）。周辺セル推定要求は、周辺セルの各伝搬損失の推定を要求する信号である。つぎに、移動局Ｕ１が、ステップＳ１６０１によって送信された周辺セル推定要求に対する推定要求応答をセルＣ４１に送信する（ステップＳ１６０２）。推定要求応答には、周辺セルの各伝搬損失の推定結果が含まれている。
【０１２６】
基地局Ｎ４は、ステップＳ１６０２によって送信された推定要求応答に含まれる推定結果に基づいて協調セルの候補を選択する。ここでは、セルＣ２３およびセルＣ４２が協調セルの候補として選択されたとする。つぎに、基地局Ｎ４が、協調セルの候補として選択したセルＣ２３を管理する基地局Ｎ２に対して協調通信要求を送信する（ステップＳ１６０３）。なお、セルＣ４２は基地局Ｎ４によって管理されるセルであるため、基地局Ｎ４はセルＣ４２に関する協調通信要求を送信しなくてもよい。
【０１２７】
つぎに、基地局Ｎ２が、ステップＳ１６０３によって基地局Ｎ４から送信された協調通信要求に対する協調受信の可否を示す協調通信要求応答を基地局Ｎ４へ送信する（ステップＳ１６０４）。ここでは、協調受信が可能であることを示す協調通信要求応答が基地局Ｎ２から基地局Ｎ４へ送信されたとする。つぎに、基地局Ｎ４が、ＣｏＭＰ情報を基地局Ｎ４へ送信する（ステップＳ１６０５）。また、基地局Ｎ２が、ＣｏＭＰ情報を基地局Ｎ２へ送信する（ステップＳ１６０６）。
【０１２８】
つぎに、基地局Ｎ４が、セルＣ４１およびセルＣ４２による協調受信（ＪＴ）により移動局Ｕ１からのデータを受信する（ステップＳ１６０７）。また、ステップＳ１６０７において、移動局Ｕ１は、セルＣ２３への干渉が小さくなるようにセルＣ４１およびセルＣ４２への信号のビームフォーミングを行う（ＣＢ）。また、ステップＳ１６０７においては、ステップＳ１６０４によって受信されたＣＳＩ報告およびステップＳ１６０６によって受信されたＣｏＭＰ情報に基づいて協調受信のパラメータが設定される。
【０１２９】
また、基地局Ｎ２が、セルＣ２３により移動局Ｕ２からのデータを受信する（ステップＳ１６０８）。ステップＳ１６０８において、移動局Ｕ２は、セルＣ４１およびセルＣ４２への干渉が小さくなるようにセルＣ２３への信号のビームフォーミングを行う（ＣＢ）。また、ステップＳ１６０８においては、ステップＳ１６０３によって受信されたＣＳＩ報告およびステップＳ１６０５によって受信されたＣｏＭＰ情報に基づいて協調受信のパラメータが設定される。
【０１３０】
図１７は、上りリンクにおける制御情報の定期的な送受信の一例を示すシーケンス図である。図１７においては、ＣｏＭＰ情報の送受信を定期的に行う場合について説明する。たとえば図１６に示したステップＳ１６０８の後に、基地局Ｎ４が、ＣｏＭＰ情報を基地局Ｎ２へ送信する（ステップＳ１７０１）。また、基地局Ｎ２が、ＣｏＭＰ情報を基地局Ｎ４へ送信する（ステップＳ１７０２）。
【０１３１】
つぎに、基地局Ｎ４が、セルＣ４１およびセルＣ４２による協調受信により移動局Ｕ１からのデータを受信し（ステップＳ１７０３）、基地局Ｎ２が、セルＣ２３により移動局Ｕ２からのデータを受信する（ステップＳ１７０４）。つぎに、基地局Ｎ４が、セルＣ４１およびセルＣ４２による協調受信により移動局Ｕ１からのデータを受信し（ステップＳ１７０５）、基地局Ｎ２が、セルＣ２３により移動局Ｕ２からのデータを受信する（ステップＳ１７０６）。つぎに、基地局Ｎ４が、セルＣ４１およびセルＣ４２による協調受信により移動局Ｕ１からのデータを受信し（ステップＳ１７０７）、基地局Ｎ２が、セルＣ２３により移動局Ｕ２からのデータを受信する（ステップＳ１７０８）。
【０１３２】
ステップＳ１７０３，Ｓ１７０５，Ｓ１７０７において、移動局Ｕ１は、セルＣ２３への干渉が小さくなるようにセルＣ４１，Ｃ４２への信号のビームフォーミングを行う。ステップＳ１７０４，Ｓ１７０６，Ｓ１７０８において、移動局Ｕ２は、セルＣ４１，Ｃ４２への干渉が小さくなるようにセルＣ２３への信号のビームフォーミングを行う。
【０１３３】
ステップＳ１７０９〜Ｓ１７１４は、ステップＳ１７０１〜Ｓ１７０６と同様であるため説明を省略する。このように、移動局Ｕ１および移動局Ｕ２に対する協調受信を行いながら、ＣｏＭＰ情報の送受信を定期的に行うことで、移動局Ｕ１や移動局Ｕ２の移動などにより無線伝搬特性が変動しても適切な協調受信を行うことができる。
【０１３４】
図１８は、上りリンクにおける協調セルの定期的な更新の一例を示すシーケンス図である。図１８に示すステップＳ１８０１〜Ｓ１８０４は、図１６に示したステップＳ１６０１〜Ｓ１６０４と同様である。ステップＳ１８０４の後に一定時間が経過すると、基地局Ｎ４が、セルＣ４１を用いて周辺セル推定要求を移動局Ｕ１へ送信する（ステップＳ１８０５）。つぎに、移動局Ｕ１が、ステップＳ１８０５によって送信された周辺セル推定要求に対する推定要求応答をセルＣ４１に送信する（ステップＳ１８０６）。
【０１３５】
セルＣ４１は、ステップＳ１８０６によって送信された推定要求応答に含まれる推定結果に基づいて協調セルの候補を選択する。ここでは、セルＣ３１およびセルＣ４２が協調セルの候補として選択されたとする。
【０１３６】
つぎに、基地局Ｎ４が、協調セルの候補として選択されなかったセルＣ２３を管理する基地局Ｎ２に対して協調通信終了通知を送信する（ステップＳ１８０７）。つぎに、基地局Ｎ２が、ステップＳ１８０７によって送信された協調通信終了通知に対する終了通知応答を基地局Ｎ４へ送信する（ステップＳ１８０８）。
【０１３７】
つぎに、基地局Ｎ４が、協調セルの候補として選択したセルＣ３１に対して協調通信要求を送信する（ステップＳ１８０９）。つぎに、基地局Ｎ３が、ステップＳ１８０９によって送信された協調通信要求に対する協調受信の可否を示す協調通信要求応答を基地局Ｎ４へ送信する（ステップＳ１８１０）。ここでは、協調受信が可能であることを示す協調通信要求応答が基地局Ｎ３から基地局Ｎ４へ送信されたとする。
【０１３８】
これにより、セルＣ２３およびセルＣ４２を用いた協調受信から、セルＣ３１およびセルＣ４２を用いた協調受信に切り替えることができる。このように、移動局Ｕ１における伝搬損失を定期的に推定して協調セルを更新することで、移動局Ｕ１の移動などにより無線伝搬特性が変動しても適切な協調受信を行うことができる。
【０１３９】
（移動局の移動速度に基づく重み付け係数の設定）
基地局Ｎ４は、上記（６）式の係数ｗｉをたとえば上記（３）式によって設定することで、遅延量τｉと推定速度ｖｊの積に基づいて係数ｗｉを設定してもよい。
【０１４０】
図１９は、上りリンクにおける基地局の動作例２を示すフローチャートである。ここでは、遅延量τｉと推定速度ｖｊの積に基づいて係数ｗｉを設定する場合における基地局Ｎ４の動作の一例について説明する。図１９に示すステップＳ１９０１，Ｓ１９０２は、図１５に示したステップＳ１５０１，Ｓ１５０２と同様である。ステップＳ１９０２のつぎに、基地局Ｎ４は、移動局Ｕ１の移動速度を推定する（ステップＳ１９０３）。
【０１４１】
図１９に示すステップＳ１９０４〜Ｓ１９０９は、図１５に示したステップＳ１５０３〜Ｓ１５０８と同様である。ただしステップＳ１９０４においては、ステップＳ１９０１によって取得された遅延量τｉと、ステップＳ１９０３によって推定された移動局Ｕ１の推定速度ｖｊと、に基づいて重み付け係数ｗｉを設定する（ステップＳ１９０４）。
【０１４２】
このように、移動局Ｕ１の推定速度ｖｊを推定し、遅延量τｉおよび推定速度ｖｊに基づいて非所属セルｉの重み付け係数ｗｉを設定することで、干渉低減効果が大きい非所属セルｉを協調セルとして優先的に選択することができる。
【０１４３】
（適用可能な協調通信方式に基づく重み付け係数の設定）
基地局Ｎ４は、上記（６）式の係数ｗｉをたとえば上記（４）式によって設定することで、適用可能な協調通信方式に基づいて係数ｗｉを設定してもよい。
【０１４４】
図２０は、上りリンクにおける基地局の動作例３を示すフローチャートである。ここでは、適用可能な協調通信方式に基づいて係数ｗｉを設定する場合における基地局Ｎ４の動作の一例について説明する。基地局Ｎ４は、まず、移動局Ｕ１の周辺セルに関する周辺セル情報を取得する（ステップＳ２００１）。周辺セル情報には、非所属セルｉの適用可能な協調通信方式を示す情報が含まれている。
【０１４５】
図２０に示すステップＳ２００２〜Ｓ２００８は、図１５に示したステップＳ１５０２〜Ｓ１５０８と同様である。ただしステップＳ２００３においては、ステップＳ２００１によって取得された周辺セル情報に含まれる非所属セルｉの適用可能な協調通信方式に基づいて非所属セルｉの重み付け係数ｗｉを設定する。
【０１４６】
このように、周辺セル情報を取得し、非所属セルｉの適用可能な協調通信方式に基づいて非所属セルｉの重み付け係数ｗｉを設定することで、協調通信による干渉低減効果が大きい非所属セルｉを協調セルとして選択することができる。
【０１４７】
このように、実施の形態２にかかる基地局によれば、協調受信を行う協調セルを、各セルに設定した係数により重み付けした各セルの受信電力に基づいて選択することで、干渉低減効果の大きいセルを優先的に協調セルとして選択することができる。これにより、干渉を低減し、通信品質を向上させることができる。また、干渉低減効果の小さいセルを協調セルから除外することで、協調受信のために通信を行う協調セル数、移動局における測定処理、移動局から基地局へのフィードバック情報量などを低減することができる。
【０１４８】
以上説明したように、基地局、通信方法および移動局によれば、干渉低減効果の大きいセルを優先的に協調セルとして選択し、通信品質を向上させることができる。
【符号の説明】
【０１４９】
１０，２０  通信システム
Ｃ１〜Ｃ３，Ｃ１１〜Ｃ１３，Ｃ２１〜Ｃ２３，Ｃ３１〜Ｃ３３，Ｃ４１〜Ｃ４３，Ｃ５１〜Ｃ５３，Ｃ６１〜Ｃ６３，Ｃ７１〜Ｃ７３  セル
Ｓ１〜Ｓ３  参照信号
Ｎ１〜Ｎ７  基地局
Ｕ１，Ｕ２  移動局
【図１−１】
2011052067.tif 000009
【図１−２】
2011052067.tif 000010
【図２】
2011052067.tif 000011
【図３】
2011052067.tif 000012
【図４】
2011052067.tif 000013
【図５】
2011052067.tif 000014
【図６】
2011052067.tif 000015
【図７】
2011052067.tif 000016
【図８】
2011052067.tif 000017
【図９】
2011052067.tif 000018
【図１０】
2011052067.tif 000019
【図１１】
2011052067.tif 000020
【図１２−１】
2011052067.tif 000021
【図１２−２】
2011052067.tif 000022
【図１３】
2011052067.tif 000023
【図１４】
2011052067.tif 000024
【図１５】
2011052067.tif 000025
【図１６】
2011052067.tif 000026
【図１７】
2011052067.tif 000027
【図１８】
2011052067.tif 000028
【図１９】
2011052067.tif 000029
【図２０】
2011052067.tif 000030
【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
移動局の周辺セルを形成する基地局に対して協調送信を要求する基地局において、
前記移動局の周辺セルについての各受信電力を取得する取得部と、
前記取得部によって取得された各受信電力を、前記周辺セルに応じた各係数で重み付けした各値を算出する算出部と、
前記算出部によって算出された各値に基づいて前記周辺セルの中から前記協調送信を要求するセルを選択する選択部と、
を備えたことを特徴とする基地局。
【請求項２】
前記選択部によって選択されたセルを用いて前記協調送信を行う制御部を備えたことを特徴とする請求項１に記載の基地局。
【請求項３】
前記取得部は、前記移動局の所属セルの受信電力と、前記周辺セルのうちの前記所属セルとは異なる非所属セルの各受信電力と、を取得し、
前記算出部は、前記所属セルの受信電力に対する前記非所属セルの各受信電力の各比率を前記各係数で重み付けした値を算出することを特徴とする請求項１に記載の基地局。
【請求項４】
前記選択部は、前記各値を閾値と比較し、比較結果に基づいて前記協調送信を要求するセルを選択することを特徴とする請求項１に記載の基地局。
【請求項５】
前記周辺セルに応じた前記各係数を設定する設定部を備え、
前記設定部は、前記非所属セルのうちの、前記所属セルとのセル間通信の遅延量が相対的に小さい非所属セルに対して、前記遅延量が相対的に大きい非所属セルより大きな係数を設定することを特徴とする請求項３に記載の基地局。
【請求項６】
前記設定部は、前記非所属セルのうちの、前記移動局の移動速度と前記遅延量との積が相対的に小さい非所属セルに対して、前記積が相対的に大きい非所属セルより大きな係数を設定することを特徴とする請求項５に記載の基地局。
【請求項７】
前記周辺セルに応じた前記各係数を設定する設定部を備え、
前記設定部は、前記非所属セルに適用可能な協調通信方式に基づいて前記各係数を設定することを特徴とする請求項３に記載の基地局。
【請求項８】
移動局の周辺セルを形成する基地局に対して協調受信を要求する基地局において、
前記移動局から前記移動局の周辺セルへの各干渉電力を取得する取得部と、
前記取得部によって取得された各干渉電力を、前記周辺セルに応じた各係数で重み付けした各値を算出する算出部と、
前記算出部によって算出された各値に基づいて前記周辺セルの中から前記協調受信を要求するセルを選択する選択部と、
を備えたことを特徴とする基地局。
【請求項９】
移動局の周辺セルを形成する基地局に対して協調送信を要求する通信方法において、
前記移動局の周辺セルについての各受信電力を取得し、
取得された各受信電力を、前記周辺セルに応じた各係数で重み付けした各値を算出し、
算出された各値に基づいて前記周辺セルの中から前記協調送信を要求するセルを選択することを特徴とする通信方法。
【請求項１０】
移動局の周辺セルを形成する基地局に対して協調受信を要求する通信方法において、
前記移動局から前記移動局の周辺セルへの各干渉電力を取得し、
取得された各干渉電力を、前記周辺セルに応じた各係数で重み付けした各値を算出し、
算出された各値に基づいて前記協調受信を要求するセルを選択することを特徴とする通信方法。
【請求項１１】
自局の周辺セルからの各受信電力を前記周辺セルに応じた各係数によって重み付けされた各値に基づいて、前記周辺セルの中から選択された一部または全てのセルから協調送信されるデータを受信する受信部
を備えたことを特徴とする移動局。
【請求項１２】
自局から自局の周辺セルへの各干渉電力を前記周辺セルに応じた各係数によって重み付けされた各値に基づいて、前記周辺セルの中から選択された一部または全てのセルで協調受信されるデータを送信する送信部
を備えたことを特徴とする移動局。
【手続補正２】
【補正対象書類名】明細書
【補正対象項目名】全文
【補正方法】変更
【補正の内容】
【発明の詳細な説明】
【技術分野】
【０００１】
本発明は、無線通信を行う基地局、通信方法および移動局に関する。
【背景技術】
【０００２】
携帯電話などの移動通信システムにおいては、基地局が送受信可能なエリア（セル）を複数組み合わせて広いエリアをカバーし、移動局の移動に伴って基地局を切り替えながら通信を継続するセルラー方式が用いられている。現在は、たとえばＣＤＭＡ（Ｃｏｄｅ  Ｄｉｖｉｓｉｏｎ  Ｍｕｌｔｉｐｌｅ  Ａｃｃｅｓｓ）方式による第３世代移動通信方式のサービスが行われている。その一方で、より高速な通信を可能とする次世代移動通信方式が検討されている。
【０００３】
たとえば、３ＧＰＰ（３ｒｄ  Ｇｅｎｅｒａｔｉｏｎ  Ｐａｒｔｎｅｒｓｈｉｐ  Ｐｒｏｊｅｃｔ）においては、ＬＴＥ（Ｌｏｎｇ  Ｔｅｒｍ  Ｅｖｏｌｕｔｉｏｎ）やＬＴＥ−ａｄｖａｎｃｅｄが検討されている（たとえば、下記非特許文献１参照。）。ＬＴＥ−ａｄｖａｎｃｅｄでは、スループットやカバレージ（セル端ユーザのスループット）の改善手法として、複数セルによる協調通信技術の導入が検討されている。下りリンク協調通信では、ある移動局に対して複数のセルからの下りリンク協調送信を行う。上りリンク協調通信では、ある移動局に対して複数のセルによる上りリンク協調受信を行う。
【０００４】
ＬＴＥ−ａｄｖａｎｃｅｄにおいては、下りリンク協調送信方法として、たとえばＪｏｉｎｔ  ｔｒａｎｓｍｉｓｓｉｏｎ（ＪＴ）、Ｆａｓｔ  Ｃｅｌｌ  Ｓｅｌｅｃｔｉｏｎ（ＦＳ）、Ｃｏｏｒｄｉｎａｔｅｄ  Ｂｅａｍｆｏｒｍｉｎｇ（ＣＢ）、Ｃｏｏｒｄｉｎａｔｅｄ  Ｓｃｈｅｄｕｌｉｎｇ（ＣＳ）などが検討されている。
【０００５】
またＬＴＥシステムにおいては、各基地局はハンドオーバや干渉制御のために互いに通信を行う。この通信に用いられる回線はＸ２インターフェースとして規定されている（たとえば、下記非特許文献２参照。）。ＬＴＥと同様に、ＬＴＥ−ａｄｖａｎｃｅｄにおいてもＸ２インターフェースのようなインターフェースが用いられると考えられる。
【０００６】
協調通信において協調セルの数が多い場合は、移動局における測定処理や、移動局から基地局への測定結果通知情報が大きくなる。また、基地局間で送受信される制御情報も大きくなる。このため、あらかじめ少数のセルを候補セルとして選択する技術がある。候補セルの選択方法としては、たとえば周辺セルの参照信号の受信電力を用いるものがある。受信電力が大きいセルを候補セルとして選択することで、候補セルとして選択しない場合に大きな干渉源となるセルを候補セルとして選択して干渉を低減する。
【先行技術文献】
【非特許文献】
【０００７】
【非特許文献１】「３ＧＰＰ  ＴＲ  ３６．９１２  Ｖ９．０．０」、２００９年９月、２００９年１０月２１日検索、インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．４２３／３６４２３−９００．ｚｉｐ＞
【非特許文献２】「３ＧＰＰ  ＴＳ  ３６．４２３  Ｖ９．０．０」、２００９年９月、２００９年１０月２１日検索、インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．９１２／３６９１２−９００．ｚｉｐ＞
【発明の概要】
【発明が解決しようとする課題】
【０００８】
しかしながら、協調通信による干渉低減効果は協調セルの受信電力以外の要因によっても異なる。このため、受信電力に基づいて協調セルを選択する技術では干渉を十分に低減できず、通信品質を向上させることができないという問題がある。
【０００９】
開示の基地局、通信方法および移動局は、上述した問題点を解消するものであり、通信品質を向上させることを目的とする。
【課題を解決するための手段】
【００１０】
上述した課題を解決し、目的を達成するため、開示技術は、移動局の周辺セルを形成する基地局に対して協調送信を要求する基地局において、前記移動局の周辺セルについての各受信電力を取得し、取得された各受信電力を、前記周辺セルに応じた各係数で重み付けした各値を算出し、算出された各値に基づいて前記周辺セルの中から前記協調送信を要求するセルを選択することを要件とする。
【発明の効果】
【００１１】
開示の基地局、通信方法および移動局によれば、通信品質を向上させることができる。
【図面の簡単な説明】
【００１２】
【図１−１】実施の形態１にかかる通信システムを示すブロック図である。
【図１−２】実施の形態１にかかる移動局の構成を示すブロック図である。
【図２】下りリンクにおける協調送信の第１の例を示す図である。
【図３】基地局間のネットワークの一例を示す図である。
【図４】下りリンクの協調送信における第２の例を示す図である。
【図５】下りリンクにおける基地局の動作例１を示すフローチャートである。
【図６】下りリンクにおける協調送信の処理の一例を示すシーケンス図である。
【図７】下りリンクにおける制御情報の定期的な送受信の一例を示すシーケンス図である。
【図８】下りリンクにおける協調セルの定期的な更新の一例を示すシーケンス図である。
【図９】下りリンクにおける基地局の動作例２を示すフローチャートである。
【図１０】下りリンクにおける基地局の動作例３を示すフローチャートである。
【図１１】複数のパラメータおよび重み関数の一例を示す図である。
【図１２−１】実施の形態２にかかる通信システムを示すブロック図である。
【図１２−２】実施の形態２にかかる移動局の構成を示すブロック図である。
【図１３】上りリンクにおける協調受信の第１の例を示す図である。
【図１４】上りリンクの協調受信における第２の例を示す図である。
【図１５】上りリンクにおける基地局の動作例１を示すフローチャートである。
【図１６】上りリンクにおける協調受信の処理の一例を示すシーケンス図である。
【図１７】上りリンクにおける制御情報の定期的な送受信の一例を示すシーケンス図である。
【図１８】上りリンクにおける協調セルの定期的な更新の一例を示すシーケンス図である。
【図１９】上りリンクにおける基地局の動作例２を示すフローチャートである。
【図２０】上りリンクにおける基地局の動作例３を示すフローチャートである。
【発明を実施するための形態】
【００１３】
以下に添付図面を参照して、この基地局、通信方法および移動局の好適な実施の形態を詳細に説明する。この基地局、通信方法および移動局は、協調通信を行う協調セルを、各セルに設定した係数により重み付けした各セルの受信電力に基づいて選択することで、干渉低減効果の大きいセルを優先的に協調セルとして選択し、通信品質を向上させる。
【００１４】
（実施の形態１）
実施の形態１においては、下りリンクにおける協調送信について説明する。
【００１５】
（通信システムの構成）
図１−１は、実施の形態１にかかる通信システムを示すブロック図である。図１−１に示す通信システム１０は、セルＣ１〜Ｃ３を含み、移動局１２に対して協調セルによる協調送信を行う通信システムである。基地局１１は、通信システム１０における基地局である。セルＣ１は、移動局１２の所属セルである。また、セルＣ１は、基地局１１によって管理されるセルである。セルＣ２，Ｃ３は、基地局１１によって管理されるセルでもよいし、基地局１１とは異なる基地局によって管理されるセルであってもよい。
【００１６】
基地局１１は、セルＣ１を用いて移動局１２と無線通信を行う。また、基地局１１は、移動局１２の周辺セル（たとえばセルＣ２，Ｃ３）を形成する基地局に対して協調送信を要求する基地局である。具体的には、基地局１１は、取得部１１ａと、設定部１１ｂと、算出部１１ｃと、選択部１１ｄと、制御部１１ｅと、を備えている。
【００１７】
取得部１１ａは、移動局１２の周辺セルから移動局１２への参照信号の各受信電力を取得する。具体的には、取得部１１ａは、移動局１２の所属セル（セルＣ１）の受信電力と、移動局１２の所属セルとは異なる非所属セル（セルＣ２，Ｃ３）の各受信電力と、を取得する。
【００１８】
たとえば、取得部１１ａは、周辺セルからの受信電力の測定を要求する周辺セル測定要求を移動局１２へ送信する。移動局１２は、取得部１１ａからの周辺セル測定要求に応じて、セルＣ１〜Ｃ３から送信される参照信号Ｓ１〜Ｓ３の受信電力を測定し、測定結果を基地局１１へ送信する。取得部１１ａは、移動局１２から送信された測定結果を取得する。取得部１１ａは、取得した各受信電力を算出部１１ｃへ通知する。
【００１９】
設定部１１ｂは、非所属セル（セルＣ２，Ｃ３）の重み付けの各係数を設定する。具体的には、設定部１１ｂは、非所属セルのうちの、協調送信に参加することによる干渉低減効果が大きいセルに対しては相対的に大きな係数を設定し、干渉低減効果が小さいセルに対しては相対的に小さな係数を設定する。設定部１１ｂによる各係数の設定の詳細については後述する。設定部１１ｂは、設定した各係数を算出部１１ｃへ通知する。
【００２０】
算出部１１ｃは、取得部１１ａから通知された各受信電力を、設定部１１ｂから通知された各係数で重み付けした各値を算出する。具体的には、算出部１１ｃは、所属セルの受信電力に対する非所属セルの各受信電力の各比率を各係数で重み付けした値を算出する。すなわち、算出部１１ｃは、セルＣ１とセルＣ２の受信電力の比率をセルＣ２の係数で重み付けした値と、セルＣ１とセルＣ３の受信電力の比率をセルＣ３の係数で重み付けした値と、を算出する。算出部１１ｃは、算出した各値を選択部１１ｄへ通知する。
【００２１】
選択部１１ｄは、移動局１２の非所属セル（セルＣ２，Ｃ３）の中から、算出部１１ｃから通知された各値に基づいて協調セルを選択する。具体的には、選択部１１ｄは、各値を閾値と比較し、比較結果に基づいて協調セルを選択する。たとえば、選択部１１ｄは、セルＣ２，Ｃ３のうちの、算出部１１ｃから通知された値が閾値以上のセルを協調セルとして選択する。選択部１１ｄは、選択した協調セルを制御部１１ｅへ通知する。
【００２２】
制御部１１ｅは、選択部１１ｄから通知された協調セルを用いて移動局１２に対する協調送信を行う。たとえば選択部１１ｄによってセルＣ２が協調セルとして選択された場合は、制御部１１ｅは、移動局１２の所属セルであるセルＣ１と、協調セルとして選択されたセルＣ２と、を用いて移動局１２に対する協調送信を行う。
【００２３】
具体的には、セルＣ２が基地局１１によって管理されるセルである場合は、制御部１１ｅは、セルＣ１およびセルＣ２が協調してデータを送信するようにセルＣ１およびセルＣ２を制御する。また、セルＣ２が基地局１１とは異なる基地局によって管理されるセルである場合は、制御部１１ｅは、セルＣ１によるデータの送信と協調してデータを送信するように、セルＣ２を管理する基地局へ協調通信要求を送信する。
【００２４】
たとえば、通信システム１０をＬＴＥ−ａｄｖａｎｃｅｄに適用する場合は、下りリンク協調通信方式として、ＪＴ、ＦＳ、ＣＢまたはＣＳなどを用いることができる。ＪＴにおいては、移動局１２に対して複数のセルより同一のデータを同じ無線リソースを用いて同時送信する。移動局１２では複数のセルからの信号が合成されたものが受信されるため、合成利得やダイバーシティ利得により、受信ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）が改善される。
【００２５】
ＦＳにおいては、移動局１２に対してデータを同時に送信するセルは１つであるが、無線伝搬状況に応じて送信するセルを切り替える。ＣＢおよびＣＳにおいては、同一無線リソースを用いて、協調セルでそれぞれ異なる移動局に対して送信を行うとともに、スケジューリングやプリコーディング制御等を協調制御する。協調制御により、お互いの干渉が小さくなるようにすることができるため、通信品質が改善できる。ＣＢにおいては、協調セル間で主にプリコーディングを協調制御する。ＣＳにおいては、協調セル間で主にスケジューリングを協調制御する。
【００２６】
上述した取得部１１ａは、たとえば移動局１２と無線通信を行う無線通信インターフェースによって実現することができる。また、設定部１１ｂ、算出部１１ｃおよび選択部１１ｄは、たとえばＣＰＵ（Ｃｅｎｔｒａｌ  Ｐｒｏｃｅｓｓｉｎｇ  Ｕｎｉｔ）などの演算回路によって実現される。また、制御部１１ｅは、たとえば移動局１２と無線通信を行う無線通信インターフェースやＣＰＵなどの演算回路によって実現される。
【００２７】
図１−２は、実施の形態１にかかる移動局の構成を示すブロック図である。図１−２において、図１−１に示した部分と同様の部分については同一の符号を付して説明を省略する。図１−２に示すように、実施の形態１にかかる移動局１２は、測定部１２ａと、通知部１２ｂと、受信部１２ｃと、を備えている。
【００２８】
測定部１２ａは、移動局１２（自局）の周辺セル（セルＣ１〜Ｃ３）から移動局１２への各受信電力を測定する。測定部１２ａは、測定した各受信電力を通知部１２ｂへ出力する。通知部１２ｂは、測定部１２ａから出力された各受信電力を基地局１１へ通知する（符号Ａ１）。たとえば基地局１１から周辺セル測定要求が送信されると、測定部１２ａが周辺セルからの各受信電力を測定し、測定結果を通知部１２ｂが基地局１１へ送信する。
【００２９】
これにより、基地局１１は、移動局１２の周辺セルの各受信電力を、移動局１２の周辺セルに設定された各係数によって重み付けした各値を算出し、算出した各値に基づいて協調セルを選択することができる。移動局１２の受信部１２ｃは、基地局１１によって選択された協調セルを用いて協調送信されるデータを受信する。
【００３０】
これにより、受信部１２ｃは、移動局１２の周辺セルからの各受信電力を周辺セルに応じた各係数によって重み付けされた各値に基づいて、周辺セルの中から選択された一部または全てのセルから協調送信されるデータを受信することができる。たとえば、受信部１２ｃは、セルＣ１とセルＣ２により協調送信されるデータＤ１，Ｄ３を受信する。
【００３１】
図２は、下りリンクにおける協調送信の第１の例を示す図である。通信システム２０は、基地局Ｎ１〜Ｎ７を含んでいる。基地局Ｎ１は、セルＣ１１〜Ｃ１３を管理する基地局である。同様に、基地局Ｎ２〜Ｎ７は、それぞれセルＣ２１〜Ｃ２３、セルＣ３１〜Ｃ３３、セルＣ４１〜Ｃ４３、セルＣ５１〜Ｃ５３、セルＣ６１〜Ｃ６３およびセルＣ７１〜Ｃ７３を管理する基地局である。
【００３２】
ここでは、移動局Ｕ１がセルＣ４１に位置している。この場合は、セルＣ４１が移動局Ｕ１の所属セル（移動局Ｕ１が登録されているセル）となる。また、通信システム２０においては、移動局Ｕ１の所属セルであるセルＣ４１とともに、セルＣ１３やセルＣ２３などの他のセルを用いて移動局Ｕ１に対する協調送信を行う。
【００３３】
図３は、基地局間のネットワークの一例を示す図である。図３に示すように、基地局Ｎ１〜Ｎ７は、たとえば経路Ｒ１２〜Ｒ１４，Ｒ２４，Ｒ２５，Ｒ３４，Ｒ３６，Ｒ４５〜Ｒ４７，Ｒ５７，Ｒ６７により互いに接続されている。たとえば、基地局Ｎ４は、経路Ｒ１４によって基地局Ｎ１と接続されている。また、基地局Ｎ４は、経路Ｒ２４によって基地局Ｎ２と接続されている。経路Ｒ１２〜Ｒ１４，Ｒ２４，Ｒ２５，Ｒ３４，Ｒ３６，Ｒ４５〜Ｒ４７，Ｒ５７，Ｒ６７のそれぞれは、たとえば有線の通信経路であり、たとえばＸ２インターフェースによって実現される。
【００３４】
（協調セルの選択）
つぎに、基地局Ｎ４によって協調セルを選択する場合について説明する。ここで、各セルのうちの移動局Ｕ１の所属セル（セルＣ４１）を除いたセルを非所属セルｉ（ｉ＝１，２，３，…）とする。基地局Ｎ４の算出部１１ｃは、たとえば下記（１）式の左辺の値を算出する。また、基地局Ｎ４の選択部１１ｄは、移動局Ｕ１の非所属セルｉのうちの、たとえば下記（１）式を満たす非所属セルｉを協調セルとして選択する。
【００３５】
【数１】
2011052067.tif 000031
【００３６】
上記（１）式において、受信電力Ｐ0は、移動局Ｕ１によって測定される所属セル（セルＣ４１）からの参照信号の受信電力である。受信電力Ｐiは、移動局Ｕ１によって測定される非所属セルｉからの参照信号の受信電力である。係数ｗiは、基地局Ｎ４の設定部１１ｂによって設定される非所属セルｉの重み付け係数である。γは閾値である。
【００３７】
このように、基地局Ｎ４の算出部１１ｃは、所属セルの受信電力Ｐ0に対する非所属セルｉの受信電力Ｐiの各比率を係数ｗiで重み付けした値を算出する。そして、基地局Ｎ４の選択部１１ｄは、算出部１１ｃによって算出された値と閾値γを比較し、算出部１１ｃによって算出された値が閾値γ以上の非所属セルｉを協調セルとして選択する。これにより、非所属セルｉのうちの、協調送信に参加することによる干渉低減効果が大きいセルを優先的に選択することができる。
【００３８】
（セル間通信の遅延量に基づく重み付け係数の設定）
基地局Ｎ４の設定部１１ｂは、上記（１）式の係数ｗiをたとえば下記（２）式によって設定する。下記（２）式において、遅延量τiは、移動局Ｕ１の所属セル（セルＣ４１）と非所属セルｉとの間のセル間通信の遅延量である。τTHは遅延量τiの閾値である。
【００３９】
【数２】
2011052067.tif 000032
【００４０】
これにより、遅延量τiが閾値τTHより小さい非所属セルｉの係数ｗiが、遅延量τiが閾値τTH以上の非所属セルｉの係数ｗiより大きくなる（α＞β）。このように、基地局Ｎ４は、遅延量τiが相対的に小さい非所属セルｉの係数ｗiを、遅延量τiが相対的に大きい非所属セルｉの係数ｗiより大きくする。
【００４１】
遅延量τiが小さい非所属セルｉにおいては、スケジューリング情報やプリコーディング制御情報などの情報と、実際の無線伝搬路の状況と、のずれが小さい。したがって、遅延量τiが小さい非所属セルｉは協調通信による干渉低減効果が大きい。このため、遅延量τiが小さい非所属セルｉの係数ｗiを大きくして優先的に協調セルとして選択することで、協調通信による干渉低減効果を向上させることができる。
【００４２】
基地局Ｎ４は、移動局Ｕ１の所属セルと非所属セルｉとの間のセル間通信の遅延量τiを取得する遅延取得部を備える。基地局Ｎ４の遅延取得部は、たとえばＣＰＵなどの演算回路によって実現される。たとえば、移動局Ｕ１の所属セルと非所属セルｉとの間のセル間通信の遅延量τiは、あらかじめ基地局Ｎ４のメモリに記憶されており、基地局Ｎ４の遅延取得部は、基地局Ｎ４のメモリから遅延量τiを取得する。
【００４３】
または、基地局Ｎ４の遅延取得部は、セル間通信の遅延量τiを測定してもよい。具体的には、基地局Ｎ４の遅延取得部は、非所属セルｉに対して応答要求信号を送信し、送信した応答要求信号に対する応答信号を受信するまでの時間を測定することで遅延量τiを取得する。設定部１１ｂは、基地局Ｎ４の遅延取得部によって取得された遅延量τiに基づいて係数ｗiを設定する。
【００４４】
なお、非所属セルｉのうちのたとえばセルＣ４２，Ｃ４３は、移動局Ｕ１の所属セル（セルＣ４１）と同じ基地局Ｎ４によって管理されているため、セル間通信の遅延量はゼロとみなすことができる。このため、上記（２）式によれば、セルＣ４２，Ｃ４３は優先的に協調セルとして選択される。ここでは、協調送信を行う協調セルとして、セルＣ２３，Ｃ４２が選択されたとする。つぎに、セルＣ４１と、協調セルとして選択されたセルＣ２３，Ｃ４２と、による下りリンクの協調送信について説明する。
【００４５】
図４は、下りリンクの協調送信における第２の例を示す図である。図４において、図２に示した部分と同様の部分については同一の符号を付して説明を省略する。図４に示す例では、移動局Ｕ１がセルＣ４１に所属している。また、移動局Ｕ２がセルＣ２３に所属している。たとえば、通信システム２０においては、同一の基地局が管理する協調セルにはＪＴを適用し、異なる基地局が管理する協調セルにはＣＢを適用する。
【００４６】
具体的には、基地局Ｎ４は、セルＣ４１，Ｃ４２から移動局Ｕ１へ同時にデータを送信する（ＪＴ）。また、基地局Ｎ４は、移動局Ｕ２への干渉が小さくなるように移動局Ｕ１への信号のビームフォーミングを行う（ＣＢ）。また、基地局Ｎ２は、セルＣ２３を用いて移動局Ｕ２へデータを送信するとともに、移動局Ｕ１への干渉が小さくなるように移動局Ｕ２への信号のビームフォーミングを行う（ＣＢ）。
【００４７】
図５は、下りリンクにおける基地局の動作例１を示すフローチャートである。ここでは、移動局Ｕ１への協調送信を行う場合における基地局Ｎ４の動作の一例について説明する。基地局Ｎ４は、まず、移動局Ｕ１の非所属セルｉのそれぞれにおける、セルＣ４１とのセル間通信の遅延量τiを取得する（ステップＳ５０１）。
【００４８】
つぎに、周辺セルから移動局Ｕ１への各受信電力を移動局Ｕ１から取得する（ステップＳ５０２）。ステップＳ５０２によって取得される各受信電力には、移動局Ｕ１の所属セル（セルＣ４１）からの受信電力Ｐ0と、非所属セルｉからの受信電力Ｐiと、が含まれる。つぎに、ステップＳ５０１によって取得された遅延量τiに基づいて、非所属セルｉの重み付け係数ｗiを設定する（ステップＳ５０３）。
【００４９】
つぎに、ステップＳ５０２によって取得された各受信電力に基づいて、非所属セルｉからの相対受信電力（Ｐi／Ｐ0）を、ステップＳ５０３によって設定された重み付け係数ｗiで重み付けした値を算出する（ステップＳ５０４）。非所属セルｉからの相対受信電力は、移動局Ｕ１の所属セル（セルＣ４１）からの受信電力Ｐ0に対する非所属セルｉからの受信電力Ｐiの比率である。
【００５０】
つぎに、ステップＳ５０４によって算出された値に基づいて協調セルの候補を選択する（ステップＳ５０５）。つぎに、ステップＳ５０５によって選択された協調セルの候補に協調送信の可否を確認する（ステップＳ５０６）。つぎに、ＣＳＩの測定結果を示すＣＳＩ報告を移動局Ｕ１から受信する（ステップＳ５０７）。
【００５１】
つぎに、協調セルとの間でＣｏＭＰ（Ｃｏｏｒｄｉｎａｔｅｄ  Ｍｕｌｔｉｐｌｅ−Ｐｏｉｎｔ  ｔｒａｎｓｍｉｓｓｉｏｎ  ａｎｄ  ｒｅｃｅｐｔｉｏｎ）情報を送受信する（ステップＳ５０８）。ステップＳ５０８によってＣｏＭＰ情報を送受信する協調セルは、たとえば、ステップＳ５０５によって選択された協調セルの候補から、ステップＳ５０６によって移動局Ｕ１への協調送信が不可と確認されたセルを除外したセルである。
【００５２】
つぎに、ステップＳ５０８によってＣｏＭＰ情報を送受信した協調セルとともに移動局Ｕ１への協調送信を行い（ステップＳ５０９）、ステップＳ５０２へ戻る。以上のステップを繰り返し行うことで、基地局Ｎ４は、干渉低減効果が大きい非所属セルｉを協調セルとして優先的に選択することができる。
【００５３】
ステップＳ５０１においては、基地局Ｎ４は、たとえば基地局Ｎ４と基地局Ｎ１〜Ｎ３，Ｎ５〜Ｎ７との間の通信の各遅延量をあらかじめ記憶しておくことで、各セルについてのセル間通信の遅延量τiを取得する。たとえば、基地局Ｎ４は、基地局Ｎ４と基地局Ｎ２との間の通信の遅延量を、セルＣ２３についての遅延量τiとして取得する。また、基地局Ｎ４は、セルＣ４２は自身で管理するセルであるため、セルＣ４２についての遅延量τiとして遅延量ゼロを取得する。
【００５４】
ステップＳ５０２においては、基地局Ｎ４は、たとえば、周辺セルからの参照信号の受信電力を測定することを要求する周辺セル測定要求を移動局Ｕ１へ送信する。移動局Ｕ１は、基地局Ｎ４から送信された周辺セル測定要求に応じて、周辺の各セルからの参照信号の受信電力を測定し、測定結果を基地局Ｎ４へ送信する。これにより、基地局Ｎ４は、周辺セルの各受信電力を取得することができる。
【００５５】
ステップＳ５０３においては、基地局Ｎ４は、たとえば上記（２）式によって重み付け係数を設定する。ステップＳ５０４においては、基地局Ｎ４は、たとえば上記（１）式の左辺によって、移動局Ｕ１の所属セルの受信電力Ｐ0に対する他の非所属セルＰiの相対的な受信電力を、重み付け係数ｗiで重み付けした値を算出する。ステップＳ５０５においては、基地局Ｎ４は、たとえば上記（１）式によって協調セルの候補を選択する。
【００５６】
ステップＳ５０６においては、基地局Ｎ４は、たとえば協調通信要求を協調セルの候補を管理する基地局へ送信し、協調通信要求に応じて送信された協調通信要求応答に基づいて協調送信の可否を確認する。ステップＳ５０７においては、基地局Ｎ４は、たとえばＣＳＩ報告を要求するＣＳＩ要求を移動局Ｕ１へ送信し、ＣＳＩ要求に応じて移動局Ｕ１から送信されたＣＳＩ報告を受信する。
【００５７】
また、ＣＳＩ報告の受信やＣｏＭＰ情報の送受信を定期的に行うようにしてもよい。たとえば、ステップＳ５０９の後にステップＳ５０７へ戻るようにする。これにより、移動局Ｕ１の移動などにより無線伝搬特性が変動しても、定期的に受信するＣＳＩ報告やＣｏＭＰ情報に基づいて通信パラメータを更新して適切な協調送信を行うことができる。
【００５８】
図６は、下りリンクにおける協調送信の処理の一例を示すシーケンス図である。まず、基地局Ｎ４が、セルＣ４１を用いて周辺セル測定要求を移動局Ｕ１へ送信する（ステップＳ６０１）。周辺セル測定要求は、周辺セルからの参照信号の受信電力の測定を要求する信号である。つぎに、移動局Ｕ１が、ステップＳ６０１によって送信された周辺セル測定要求に対する測定要求応答をセルＣ４１に送信する（ステップＳ６０２）。測定要求応答には、周辺セルからの参照信号の受信電力の測定結果が含まれている。
【００５９】
基地局Ｎ４は、ステップＳ６０２によって送信された測定要求応答に含まれる測定結果に基づいて協調セルの候補を選択する。ここでは、セルＣ２３およびセルＣ４２が協調セルの候補として選択されたとする。つぎに、基地局Ｎ４が、協調セルの候補として選択したセルＣ２３を管理する基地局Ｎ２に対して協調通信要求を送信する（ステップＳ６０３）。なお、セルＣ４２は基地局Ｎ４によって管理されるセルであるため、基地局Ｎ４はセルＣ４２に関する協調通信要求を送信しなくてもよい。
【００６０】
つぎに、基地局Ｎ２が、ステップＳ６０３によって基地局Ｎ４から送信された協調通信要求に対する協調送信の可否を示す協調通信要求応答を基地局Ｎ４へ送信する（ステップＳ６０４）。ここでは、協調送信が可能であることを示す協調通信要求応答が基地局Ｎ２から基地局Ｎ４へ送信されたとする。
【００６１】
つぎに、基地局Ｎ４が、セルＣ４１を用いて移動局Ｕ１へＣＳＩ要求を送信する（ステップＳ６０５）。また、基地局Ｎ２が、セルＣ２３を用いて移動局Ｕ２へＣＳＩ要求を送信する（ステップＳ６０６）。ＣＳＩ要求は、ＣＳＩの測定を要求する信号である。つぎに、移動局Ｕ１が、ステップＳ６０５によって送信されたＣＳＩ要求に応じてＣＳＩの測定を行い、測定結果を示すＣＳＩ報告をセルＣ４１へ送信する（ステップＳ６０７）。また、移動局Ｕ２が、ステップＳ６０６によって送信されたＣＳＩ要求に応じてＣＳＩの測定を行い、測定結果を示すＣＳＩ報告をセルＣ２３へ送信する（ステップＳ６０８）。
【００６２】
つぎに、基地局Ｎ４が、ＣｏＭＰ情報を基地局Ｎ２へ送信する（ステップＳ６０９）。また、基地局Ｎ２が、ＣｏＭＰ情報を基地局Ｎ４へ送信する（ステップＳ６１０）。ＣｏＭＰ情報は、協調送信に必要な情報を含む。
【００６３】
つぎに、基地局Ｎ４が、セルＣ４１およびセルＣ４２による協調送信（ＪＴ）により移動局Ｕ１へデータを送信する（ステップＳ６１１）。また、ステップＳ６１１において、基地局Ｎ４は、移動局Ｕ２への干渉が小さくなるように移動局Ｕ１への信号のビームフォーミングを行う（ＣＢ）。また、ステップＳ６１１においては、ステップＳ６０７によって受信されたＣＳＩ報告およびステップＳ６１０によって受信されたＣｏＭＰ情報に基づいて協調送信のパラメータが設定される。
【００６４】
また、基地局Ｎ２が、セルＣ２３により移動局Ｕ２へデータを送信する（ステップＳ６１２）。また、ステップＳ６１２において、基地局Ｎ２は、移動局Ｕ１への干渉が小さくなるように移動局Ｕ１への信号のビームフォーミングを行う（ＣＢ）。また、ステップＳ６１２においては、ステップＳ６０８によって受信されたＣＳＩ報告およびステップＳ６０９によって受信されたＣｏＭＰ情報に基づいて協調送信のパラメータが設定される。
【００６５】
図７は、下りリンクにおける制御情報の定期的な送受信の一例を示すシーケンス図である。図７においては、ＣＳＩ報告の受信やＣｏＭＰ情報の送受信を定期的に行う場合について説明する。たとえば図６に示したステップＳ６１２の後に、基地局Ｎ４が、セルＣ４１を用いて移動局Ｕ１へＣＳＩ要求を送信する（ステップＳ７０１）。また、基地局Ｎ２が、セルＣ２３を用いて移動局Ｕ２へＣＳＩ要求を送信する（ステップＳ７０２）。
【００６６】
つぎに、移動局Ｕ１が、ステップＳ７０１によって送信されたＣＳＩ要求に応じてＣＳＩの測定を行い、測定結果を示すＣＳＩ報告をセルＣ４１へ送信する（ステップＳ７０３）。また、移動局Ｕ２が、ステップＳ７０２によって送信されたＣＳＩ要求に応じてＣＳＩの測定を行い、測定結果を示すＣＳＩ報告をセルＣ２３へ送信する（ステップＳ７０４）。つぎに、基地局Ｎ４がＣｏＭＰ情報を基地局Ｎ２へ送信する（ステップＳ７０５）。また、基地局Ｎ２がＣｏＭＰ情報を基地局Ｎ４へ送信する（ステップＳ７０６）。
【００６７】
つぎに、基地局Ｎ４が、セルＣ４１およびセルＣ４２による協調送信により移動局Ｕ１へデータを送信する（ステップＳ７０７）。また、基地局Ｎ２が、セルＣ２３により移動局Ｕ２へデータを送信する（ステップＳ７０８）。つぎに、基地局Ｎ４が、セルＣ４１およびセルＣ４２による協調送信により移動局Ｕ１へデータを送信する（ステップＳ７０９）。また、基地局Ｎ２が、セルＣ２３により移動局Ｕ２へデータを送信する（ステップＳ７１０）。つぎに、基地局Ｎ４が、セルＣ４１およびセルＣ４２による協調送信により移動局Ｕ１へデータを送信する（ステップＳ７１１）。また、基地局Ｎ２が、セルＣ２３により移動局Ｕ２へデータを送信する（ステップＳ７１２）。
【００６８】
ステップＳ７０７，Ｓ７０９，Ｓ７１１において、基地局Ｎ４は、移動局Ｕ２への干渉が小さくなるように移動局Ｕ１への信号のビームフォーミングを行う。また、ステップＳ７０７，Ｓ７０９，Ｓ７１１において、基地局Ｎ４は、ステップＳ７０３によって受信されたＣＳＩ報告およびステップＳ７０６によって受信されたＣｏＭＰ情報に基づいて協調送信のパラメータを設定する。
【００６９】
ステップＳ７０８，Ｓ７１０，Ｓ７１２において、基地局Ｎ２は、移動局Ｕ１への干渉が小さくなるように移動局Ｕ２への信号のビームフォーミングを行う。また、ステップＳ７０８，Ｓ７１０，Ｓ７１２において、基地局Ｎ２は、ステップＳ７０４によって受信されたＣＳＩ報告およびステップＳ７０５によって受信されたＣｏＭＰ情報に基づいて協調送信のパラメータを設定する。
【００７０】
ステップＳ７１３〜Ｓ７２２は、ステップＳ７０１〜Ｓ７１０と同様であるため説明を省略する。このように、移動局Ｕ１および移動局Ｕ２への協調送信を行いながら、ＣＳＩ報告の受信やＣｏＭＰ情報の送受信を定期的に行うことで、移動局Ｕ１や移動局Ｕ２の移動などにより無線伝搬特性が変動しても適切な協調送信を行うことができる。
【００７１】
図８は、下りリンクにおける協調セルの定期的な更新の一例を示すシーケンス図である。図８に示すステップＳ８０１〜Ｓ８０４は、図６に示したステップＳ６０１〜Ｓ６０４と同様である。ステップＳ８０４の後に一定時間が経過すると、基地局Ｎ４が、セルＣ４１を用いて周辺セル測定要求を移動局Ｕ１へ送信する（ステップＳ８０５）。
【００７２】
つぎに、移動局Ｕ１が、ステップＳ８０５によって送信された周辺セル測定要求に対する測定要求応答をセルＣ４１に送信する（ステップＳ８０６）。セルＣ４１は、ステップＳ８０６によって送信された測定要求応答に含まれる測定結果に基づいて協調セルの候補を選択する。ここでは、セルＣ３１およびセルＣ４２が協調セルの候補として選択されたとする。
【００７３】
つぎに、基地局Ｎ４が、協調セルの候補として選択されなかったセルＣ２３を管理する基地局Ｎ２に対して協調通信終了通知を送信する（ステップＳ８０７）。つぎに、基地局Ｎ２が、ステップＳ８０７によって送信された協調通信終了通知に対する終了通知応答を基地局Ｎ４へ送信する（ステップＳ８０８）。
【００７４】
つぎに、基地局Ｎ４が、協調セルの候補として選択したセルＣ３１に対して協調通信要求を送信する（ステップＳ８０９）。つぎに、基地局Ｎ３が、ステップＳ８０９によって送信された協調通信要求に対する協調送信の可否を示す協調通信要求応答を基地局Ｎ４へ送信する（ステップＳ８１０）。ここでは、協調送信が可能であることを示す協調通信要求応答が基地局Ｎ３から基地局Ｎ４へ送信されたとする。
【００７５】
これにより、セルＣ２３およびセルＣ４２を用いた協調送信から、セルＣ３１およびセルＣ４２を用いた協調送信に切り替えることができる。このように、移動局Ｕ１における受信電力を定期的に測定して協調セルを更新することで、移動局Ｕ１の移動などにより無線伝搬特性が変動しても適切な協調送信を行うことができる。
【００７６】
（移動局の移動速度に基づく重み付け係数の設定）
基地局Ｎ４は、上記（１）式の係数ｗiを、たとえば下記（３）式によって設定してもよい。下記（３）式において、遅延量τiは、移動局Ｕ１の所属セル（セルＣ４１）と非所属セルｉとの間のセル間通信の遅延量である。推定速度ｖjは、移動局ｊの所属セル（セルＣ４１）において推定した移動局ｊの推定速度である。閾値ｃTHは、遅延量τiと推定速度ｖjの積の閾値である。
【００７７】
【数３】
2011052067.tif 000033
【００７８】
これにより、遅延量τiと推定速度ｖjの積が閾値ｃTHより小さい非所属セルｉの係数ｗiは、遅延量τiと推定速度ｖjの積が閾値ｃTH以上の非所属セルｉの係数ｗiより大きくなる（α＞β）。このように、基地局Ｎ４は、セル間通信の遅延量と推定速度の積が相対的に小さい非所属セルｉの係数ｗiを、セル間通信の遅延量と推定速度の積が相対的に大きい非所属セルｉのセル間通信の係数ｗiより大きくする。
【００７９】
セル間通信の遅延量が小さい非所属セルｉにおいては、スケジューリング情報やプリコーディング制御情報などの情報と、実際の無線伝搬路の状況と、のずれが小さい。また、このずれは、移動局の移動速度が小さいほど小さくなる。このため、遅延量τiと推定速度ｖjの積が小さい非所属セルｉは協調通信による干渉低減効果が大きい。このため、遅延量τiと推定速度ｖjの積が小さい非所属セルｉの係数ｗiを大きくして優先的に協調セルとして選択することで、協調通信による干渉低減効果を向上させることができる。
【００８０】
基地局Ｎ４は、移動局Ｕ１の移動速度を推定速度ｖjとして推定する推定部を備える。基地局Ｎ４の推定部は、たとえばＣＰＵなどの演算回路によって実現される。基地局Ｎ４の推定部は、たとえば、基地局Ｎ４が管理するセルＣ４１〜Ｃ４３におけるハンドオーバのために、定期的に各移動局の移動速度を推定している。設定部１１ｂは、基地局Ｎ４の推定部によって推定された推定速度ｖjに基づいて係数ｗiを設定する。
【００８１】
図９は、下りリンクにおける基地局の動作例２を示すフローチャートである。ここでは、遅延量τiと推定速度ｖjの積に基づいて係数ｗiを設定する場合における基地局Ｎ４の動作の一例について説明する。図９に示すステップＳ９０１，Ｓ９０２は、図５に示したステップＳ５０１，Ｓ５０２と同様であるため説明を省略する。ステップＳ９０２のつぎに、基地局Ｎ４は、移動局Ｕ１の移動速度を推定する（ステップＳ９０３）。
【００８２】
図９に示すステップＳ９０４〜Ｓ９１０は、図５に示したステップＳ５０３〜Ｓ５０９と同様である。ただしステップＳ９０４においては、ステップＳ９０１によって取得された遅延量τiと、ステップＳ９０３によって推定された移動局Ｕ１の推定速度ｖjと、に基づいて非所属セルｉの重み付け係数ｗiを設定する（ステップＳ９０４）。
【００８３】
このように、移動局Ｕ１の推定速度ｖjを推定し、遅延量τiおよび推定速度ｖjに基づいて非所属セルｉの重み付け係数ｗiを設定することで、干渉低減効果が大きい非所属セルｉを協調セルとして優先的に選択することができる。
【００８４】
（適用可能な協調通信方式に基づく重み付け係数の設定）
基地局Ｎ４は、上記（１）式の係数ｗiを、たとえば下記（４）式によって設定してもよい。下記（４）式において、条件「ＪＴ  ｃａｎ  ｂｅ  ｕｓｅｄ」は、非所属セルｉにおいてＪＴが適用可能なことを示す条件である。条件「ｏｎｌｙ  ＣＢ／ＣＳ  ｃａｎ
ｂｅ  ｕｓｅｄ」は、非所属セルｉにおいてＣＢまたはＣＳのみが適用可能であり、ＪＴが適用不可であることを示す条件である。
【００８５】
【数４】
2011052067.tif 000034
【００８６】
これにより、ＪＴが適用可能な非所属セルｉの係数ｗiは、ＪＴが適用不可の非所属セルｉの係数ｗiより大きくなる（α＞β）。このように、基地局Ｎ４は、適用可能な協調通信方式に応じて非所属セルｉの係数ｗiを設定する。
【００８７】
ＪＴが適用可能な非所属セルｉは、ＪＴが適用不可の非所属セルｉに比べて協調通信による干渉低減効果が大きい。このため、ＪＴが適用可能な非所属セルｉの係数ｗiをＪＴが適用不可の非所属セルｉの係数ｗiより大きくして協調セルとして優先的に選択することで、協調通信による干渉低減効果を向上させることができる。
【００８８】
基地局Ｎ４は、非所属セルｉの適用可能な協調通信方式を取得する方式取得部を備える。基地局Ｎ４の方式取得部は、たとえばＣＰＵなどの演算回路によって実現される。たとえば、非所属セルｉの適用可能な協調通信方式を含む情報は、あらかじめ基地局Ｎ４のメモリに記憶されており、基地局Ｎ４の方式取得部は、非所属セルｉの適用可能な協調通信方式を基地局Ｎ４のメモリから取得する。
【００８９】
または、基地局Ｎ４の方式取得部は、非所属セルｉの適用可能な協調通信方式を非所属セルｉから受信してもよい。具体的には、基地局Ｎ４の方式取得部は、非所属セルｉに対して方式通知要求を送信し、送信した方式通知要求に対して非所属セルｉから通知された情報により、非所属セルｉの適用可能な協調通信方式を取得する。設定部１１ｂは、基地局Ｎ４の方式取得部によって取得された協調通信方式に基づいて係数ｗiを設定する。
【００９０】
図１０は、下りリンクにおける基地局の動作例３を示すフローチャートである。ここでは、適用可能な協調通信方式に基づいて係数ｗiを設定する場合における基地局Ｎ４の動作の一例について説明する。基地局Ｎ４は、まず、移動局Ｕ１の周辺セルに関する周辺セル情報を取得する（ステップＳ１００１）。周辺セル情報には、非所属セルｉの適用可能な協調通信方式を示す情報が含まれている。
【００９１】
図１０に示すステップＳ１００２〜Ｓ１００９は、図５に示したステップＳ５０２〜Ｓ５０９と同様である。ただしステップＳ１００３においては、ステップＳ１００１によって取得された周辺セル情報に含まれる非所属セルｉの適用可能な協調通信方式に基づいて非所属セルｉの重み付け係数ｗiを設定する。
【００９２】
このように、周辺セル情報を取得し、非所属セルｉの適用可能な協調通信方式に基づいて非所属セルｉの重み付け係数ｗiを設定することで、協調通信による干渉低減効果が大きい非所属セルｉを協調セルとして選択することができる。
【００９３】
（複数のパラメータに基づく重み付け係数の設定）
基地局Ｎ４は、上記（１）式の係数ｗiを、たとえば下記（５）式によって設定してもよい。下記（５）式において、重み関数ｆkは、第ｋパラメータによる重み関数である。ｘkは、第ｋパラメータである。ｃは定数である。
【００９４】
【数５】
2011052067.tif 000035
【００９５】
図１１は、複数のパラメータおよび重み関数の一例を示す図である。基地局Ｎ４のメモリには、たとえば図１１に示すテーブル１１００が記憶されている。テーブル１１００は、第ｋパラメータ（ｋ＝１〜５）と重み関数ｆkとを対応付けている。第１パラメータは、非所属セルｉにおけるセル間通信の遅延量であり、たとえば上述した遅延量τiである。第１パラメータに対応する重み関数ｆ1は、遅延量の増加と共に減少する関数である。
【００９６】
第２パラメータは、移動局の移動速度であり、たとえば上述した推定速度ｖjである。第２パラメータに対応する重み関数ｆ2は、移動速度の増加と共に減少する関数である。第３パラメータは、非所属セルｉにおいて適用可能な協調通信方式である。第３パラメータに対応する重み関数ｆ3は、ＪＴが適用可能な場合に、ＣＢまたはＣＳが適用可能な場合（ＪＴが適用不可の場合）より大きくなる関数である。
【００９７】
第４パラメータは、非所属セルｉの送信アンテナ数である。第４パラメータに対応する重み関数ｆ4は、アンテナ数の減少と共に減少する関数である。第５パラメータは、非所属セルｉにおけるユーザ多重数である。第５パラメータに対応する重み関数ｆ5は、ユーザ多重数の増加と共に減少する関数である。
【００９８】
たとえば、基地局Ｎ４の設定部１１ｂは、第３〜第４パラメータなどの情報を含む周辺セル情報を各基地局から受信し、受信した周辺セル情報、テーブル１１００および上記（５）式を用いて非所属セルｉの係数ｗiを設定する。
【００９９】
このように、実施の形態１にかかる基地局によれば、協調送信を行う協調セルを、各セルに設定した係数により重み付けした各セルの受信電力に基づいて選択することで、干渉低減効果の大きいセルを優先的に協調セルとして選択することができる。これにより、干渉を低減し、通信品質を向上させることができる。また、干渉低減効果の小さいセルを協調セルから除外することで、協調送信を行うために通信を行う協調セル数、移動局における測定処理、移動局から基地局へのフィードバック情報量などを低減することができる。
【０１００】
（実施の形態２）
実施の形態１においては下りリンクにおける協調送信について説明したが、実施の形態２においては上りリンクにおける協調受信について説明する。
【０１０１】
（通信システムの構成）
図１２−１は、実施の形態２にかかる通信システムを示すブロック図である。図１２−１において、図１に示した部分と同様の部分については同一の符号を付して説明を省略する。図１２−１に示す通信システム１０は、移動局１２に対して協調セルによる協調受信を行う通信システムである。基地局１１は、移動局１２の周辺セル（たとえばセルＣ２，Ｃ３）を形成する基地局に対して協調受信を要求する基地局である。
【０１０２】
基地局１１の取得部１１ａは、移動局１２から移動局１２の周辺セルへの各干渉電力を取得する。具体的には、取得部１１ａは、移動局１２の所属セル（セルＣ１）の干渉電力と、移動局１２の所属セルとは異なる非所属セル（セルＣ２，Ｃ３）の各干渉電力と、を取得する。取得部１１ａは、取得した各伝搬損失を算出部１１ｃへ通知する。
【０１０３】
たとえば、取得部１１ａは、移動局１２から周辺セルへの干渉電力として、周辺セルから移動局１２へ送信された下りリンクの参照信号の各伝搬損失を取得する。具体的には、取得部１１ａは、移動局１２から周辺セルへの伝搬損失の推定を要求する周辺セル推定要求を移動局１２へ送信する。移動局１２は、取得部１１ａからの周辺セル推定要求に応じて、セルＣ１〜Ｃ３から送信される参照信号の伝搬損失を推定し、推定結果を基地局１１へ送信する。取得部１１ａは、移動局１２から送信された各伝搬損失を取得する。
【０１０４】
または、取得部１１ａは、移動局１２から周辺セルへの干渉電力として、移動局１２からセルＣ１〜Ｃ３へ送信される上りリンクの参照信号Ｓ１〜Ｓ３の伝搬損失をセルＣ１〜Ｃ３から取得してもよい。具体的には、取得部１１ａは、移動局１２から周辺セルへの伝搬損失の推定を要求する周辺セル推定要求を移動局１２へ送信する。移動局１２は、取得部１１ａからの周辺セル推定要求に応じて、セルＣ１〜Ｃ３へ参照信号Ｓ１〜Ｓ３を送信する。そして、移動局１２は、参照信号Ｓ１〜Ｓ３に基づいてセルＣ１〜Ｃ３によって推定された各伝搬損失をセルＣ１〜Ｃ３から受信し、受信した各伝搬損失を基地局１１へ送信する。取得部１１ａは、移動局１２から送信された各伝搬損失を取得する。
【０１０５】
算出部１１ｃは、取得部１１ａから通知された各干渉電力を、設定部１１ｂから通知された各係数で重み付けした各値を算出する。具体的には、算出部１１ｃは、所属セルの干渉電力に対する非所属セルの各干渉電力の各比率を各係数で重み付けした値を算出する。すなわち、算出部１１ｃは、セルＣ１とセルＣ２の干渉電力の比率をセルＣ２の係数で重み付けした値と、セルＣ１とセルＣ３の干渉電力の比率をセルＣ３の係数で重み付けした値と、を算出する。算出部１１ｃは、算出した各値を選択部１１ｄへ通知する。
【０１０６】
制御部１１ｅは、選択部１１ｄから通知された協調セルを用いて移動局１２に対する協調受信を行う。たとえば選択部１１ｄによってセルＣ２が協調セルとして選択された場合は、制御部１１ｅは、移動局１２の所属セルであるセルＣ１と、協調セルとして選択されたセルＣ２と、を用いて移動局１２に対する協調受信を行う。
【０１０７】
具体的には、セルＣ２が基地局１１によって管理されるセルである場合は、制御部１１ｅは、セルＣ１およびセルＣ２が協調してデータを受信するようにセルＣ１およびセルＣ２を制御する。また、セルＣ２が基地局１１とは異なる基地局によって管理されるセルである場合は、制御部１１ｅは、セルＣ１によるデータの受信と協調してデータを受信するように、セルＣ２を管理する基地局へ協調通信要求を送信する。
【０１０８】
図１２−２は、実施の形態２にかかる移動局の構成を示すブロック図である。図１２−２において、図１−２に示した部分と同様の部分については同一の符号を付して説明を省略する。図１２−２に示すように、実施の形態２にかかる移動局１２は、推定部１２ｄと、通知部１２ｂと、送信部１２ｅと、を備えている。
【０１０９】
推定部１２ｄは、移動局１２（自局）から周辺セル（セルＣ１〜Ｃ３）への各干渉電力を推定する。推定部１２ｄは、測定した各干渉電力を通知部１２ｂへ出力する。通知部１２ｂは、推定部１２ｄから出力された各干渉電力を基地局１１へ通知する（符号Ａ２）。たとえば、基地局１１から周辺セル推定要求が送信されると、推定部１２ｄが周辺セルへの各干渉電力を測定し、測定結果を通知部１２ｂが基地局１１へ送信する。
【０１１０】
これにより、基地局１１は、移動局１２から周辺セルへの各干渉電力を、移動局１２の周辺セルに設定された各係数によって重み付けした各値を算出し、算出した各値に基づいて協調セルを選択することができる。移動局１２の送信部１２ｅは、基地局１１によって選択された協調セルを用いて協調受信されるデータを送信する。
【０１１１】
これにより、送信部１２ｅは、移動局１２から周辺セルへの各干渉電力を周辺セルに応じた各係数によって重み付けされた各値に基づいて、周辺セルの中から選択された一部または全てのセルで協調受信されるデータを送信することができる。たとえば、送信部１２ｅは、セルＣ１とセルＣ２により協調受信されるデータＤ１，Ｄ３を送信する。
【０１１２】
図１３は、上りリンクにおける協調受信の第１の例を示す図である。図１３において、図２に示した部分と同様の部分については同一の符号を付して説明を省略する。ここでは、通信システム２０において、移動局Ｕ１の所属セルであるセルＣ４１とともに、セルＣ１３やセルＣ２３などの他のセルを用いて移動局Ｕ１からのデータを協調受信する。
【０１１３】
（協調セルの選択）
つぎに、基地局Ｎ４によって協調セルを選択する場合について説明する。基地局Ｎ４は、移動局Ｕ１の非所属セルｉのうちの、たとえば下記（６）式を満たす非所属セルｉを協調セルとして選択する。
【０１１４】
【数６】
2011052067.tif 000036
【０１１５】
上記（６）式において、伝搬損失ＰＬ0は、移動局Ｕ１から移動局Ｕ１の所属セル（セルＣ４１）への参照信号の伝搬損失である。伝搬損失ＰＬiは、移動局Ｕ１から非所属セルｉへの参照信号の伝搬損失である。係数ｗiは、非所属セルｉの重み付け係数である。γは閾値である。係数ｗiの設定については、実施の形態１において説明した係数ｗiの設定と同様であるため、説明を省略する。
【０１１６】
図１４は、上りリンクの協調受信における第２の例を示す図である。図１４において、図４または図１３に示した部分と同様の部分については同一の符号を付して説明を省略する。通信システム２０において、基地局Ｎ４は、セルＣ４１，Ｃ４２によって移動局Ｕ１からのデータを同時に受信する（ＪＴ）。また、移動局Ｕ１は、セルＣ２３への干渉が小さくなるようにセルＣ４１，Ｃ４２への信号のビームフォーミングを行う（ＣＢ）。
【０１１７】
また、基地局Ｎ２は、セルＣ２３を用いて移動局Ｕ２からのデータを受信する。また、移動局Ｕ２は、セルＣ４１，Ｃ４２への干渉が小さくなるようにセルＣ２３への信号のビームフォーミングを行う（ＣＢ）。
【０１１８】
図１５は、上りリンクにおける基地局の動作例１を示すフローチャートである。ここでは、移動局Ｕ１からのデータの協調受信を行う場合における基地局Ｎ４の動作の一例について説明する。基地局Ｎ４は、まず、移動局Ｕ１の非所属セルｉのそれぞれにおける、セルＣ４１とのセル間通信の遅延量τiを取得する（ステップＳ１５０１）。
【０１１９】
つぎに、移動局Ｕ１により推定される移動局Ｕ１と周辺セルとの間の各伝搬損失を取得する（ステップＳ１５０２）。移動局Ｕ１と周辺セルとの間の各伝搬損失には、移動局Ｕ１の所属セル（セルＣ４１）の伝搬損失ＰＬ0と、非所属セルｉの伝搬損失ＰＬiと、が含まれる。つぎに、ステップＳ１５０１によって取得された遅延量τiに基づいて、非所属セルｉの重み付け係数ｗiを設定する（ステップＳ１５０３）。
【０１２０】
つぎに、ステップＳ１５０２によって取得された各伝搬損失に基づいて、相対伝搬損失を、ステップＳ１５０３によって設定された重み付け係数ｗiで重み付けした値を算出する（ステップＳ１５０４）。相対伝搬損失は、移動局Ｕ１の所属セルの伝搬損失ＰＬ0に対する非所属セルｉの伝搬損失ＰＬiの比率である。つぎに、ステップＳ１５０４によって算出された値に基づいて協調セルの候補を選択する（ステップＳ１５０５）。
【０１２１】
つぎに、ステップＳ１５０５によって選択された協調セルの候補に協調受信の可否を確認する（ステップＳ１５０６）。つぎに、協調セルとの間でＣｏＭＰ情報を送受信する（ステップＳ１５０７）。ＣｏＭＰ情報を送受信する協調セルは、たとえば、ステップＳ１５０５によって選択された協調セルの候補から、ステップＳ１５０６によって協調受信が不可と確認されたセルを除外したセルである。ＣｏＭＰ情報は、たとえば、移動局Ｕ１からの参照信号に基づいて上りリンクの伝搬路推定を行い、推定結果に基づいてスケジューリングや協調受信におけるアンテナ重み付け情報などを計算した値である。
【０１２２】
つぎに、ステップＳ１５０７によってＣｏＭＰ情報を送受信した協調セルとともに移動局Ｕ１からのデータの協調受信を行い（ステップＳ１５０８）、ステップＳ１５０２へ戻る。以上のステップを繰り返し行うことで、基地局Ｎ４は、干渉低減効果が大きい非所属セルｉを協調セルとして優先的に選択することができる。
【０１２３】
ステップＳ１５０２においては、基地局Ｎ４は、たとえば、移動局Ｕ１から周辺セルの各伝搬損失を推定することを要求する周辺セル推定要求を移動局Ｕ１へ送信する。移動局Ｕ１は、基地局Ｎ４から送信された周辺セル推定要求に応じて、周辺セルとの間の各伝搬損失を推定し、推定結果を基地局Ｎ４へ送信する。これにより、基地局Ｎ４は、周辺セルの各伝搬損失を取得することができる。
【０１２４】
ステップＳ１５０４においては、基地局Ｎ４は、たとえば上記（６）式によって、移動局Ｕ１の所属セルの伝搬損失ＰＬ0に対する非所属セルＰiの相対的な伝搬損失を、重み付け係数ｗiで重み付けした値を算出する。また、ＣｏＭＰ情報の送受信を定期的に行うようにしてもよい。たとえば、ステップＳ１５０８の後にステップＳ１５０７へ戻るようにする。これにより、移動局Ｕ１の移動などにより無線伝搬特性が変動しても、定期的に受信するＣＳＩ報告やＣｏＭＰ情報に基づいて通信パラメータを更新して適切な協調受信を行うことができる。
【０１２５】
図１６は、上りリンクにおける協調受信の処理の一例を示すシーケンス図である。まず、基地局Ｎ４が、セルＣ４１を用いて周辺セル推定要求を移動局Ｕ１へ送信する（ステップＳ１６０１）。周辺セル推定要求は、周辺セルの各伝搬損失の推定を要求する信号である。つぎに、移動局Ｕ１が、ステップＳ１６０１によって送信された周辺セル推定要求に対する推定要求応答をセルＣ４１に送信する（ステップＳ１６０２）。推定要求応答には、周辺セルの各伝搬損失の推定結果が含まれている。
【０１２６】
基地局Ｎ４は、ステップＳ１６０２によって送信された推定要求応答に含まれる推定結果に基づいて協調セルの候補を選択する。ここでは、セルＣ２３およびセルＣ４２が協調セルの候補として選択されたとする。つぎに、基地局Ｎ４が、協調セルの候補として選択したセルＣ２３を管理する基地局Ｎ２に対して協調通信要求を送信する（ステップＳ１６０３）。なお、セルＣ４２は基地局Ｎ４によって管理されるセルであるため、基地局Ｎ４はセルＣ４２に関する協調通信要求を送信しなくてもよい。
【０１２７】
つぎに、基地局Ｎ２が、ステップＳ１６０３によって基地局Ｎ４から送信された協調通信要求に対する協調受信の可否を示す協調通信要求応答を基地局Ｎ４へ送信する（ステップＳ１６０４）。ここでは、協調受信が可能であることを示す協調通信要求応答が基地局Ｎ２から基地局Ｎ４へ送信されたとする。つぎに、基地局Ｎ４が、ＣｏＭＰ情報を基地局Ｎ４へ送信する（ステップＳ１６０５）。また、基地局Ｎ２が、ＣｏＭＰ情報を基地局Ｎ２へ送信する（ステップＳ１６０６）。
【０１２８】
つぎに、基地局Ｎ４が、セルＣ４１およびセルＣ４２による協調受信（ＪＴ）により移動局Ｕ１からのデータを受信する（ステップＳ１６０７）。また、ステップＳ１６０７において、移動局Ｕ１は、セルＣ２３への干渉が小さくなるようにセルＣ４１およびセルＣ４２への信号のビームフォーミングを行う（ＣＢ）。また、ステップＳ１６０７においては、ステップＳ１６０４によって受信されたＣＳＩ報告およびステップＳ１６０６によって受信されたＣｏＭＰ情報に基づいて協調受信のパラメータが設定される。
【０１２９】
また、基地局Ｎ２が、セルＣ２３により移動局Ｕ２からのデータを受信する（ステップＳ１６０８）。ステップＳ１６０８において、移動局Ｕ２は、セルＣ４１およびセルＣ４２への干渉が小さくなるようにセルＣ２３への信号のビームフォーミングを行う（ＣＢ）。また、ステップＳ１６０８においては、ステップＳ１６０３によって受信されたＣＳＩ報告およびステップＳ１６０５によって受信されたＣｏＭＰ情報に基づいて協調受信のパラメータが設定される。
【０１３０】
図１７は、上りリンクにおける制御情報の定期的な送受信の一例を示すシーケンス図である。図１７においては、ＣｏＭＰ情報の送受信を定期的に行う場合について説明する。たとえば図１６に示したステップＳ１６０８の後に、基地局Ｎ４が、ＣｏＭＰ情報を基地局Ｎ２へ送信する（ステップＳ１７０１）。また、基地局Ｎ２が、ＣｏＭＰ情報を基地局Ｎ４へ送信する（ステップＳ１７０２）。
【０１３１】
つぎに、基地局Ｎ４が、セルＣ４１およびセルＣ４２による協調受信により移動局Ｕ１からのデータを受信し（ステップＳ１７０３）、基地局Ｎ２が、セルＣ２３により移動局Ｕ２からのデータを受信する（ステップＳ１７０４）。つぎに、基地局Ｎ４が、セルＣ４１およびセルＣ４２による協調受信により移動局Ｕ１からのデータを受信し（ステップＳ１７０５）、基地局Ｎ２が、セルＣ２３により移動局Ｕ２からのデータを受信する（ステップＳ１７０６）。つぎに、基地局Ｎ４が、セルＣ４１およびセルＣ４２による協調受信により移動局Ｕ１からのデータを受信し（ステップＳ１７０７）、基地局Ｎ２が、セルＣ２３により移動局Ｕ２からのデータを受信する（ステップＳ１７０８）。
【０１３２】
ステップＳ１７０３，Ｓ１７０５，Ｓ１７０７において、移動局Ｕ１は、セルＣ２３への干渉が小さくなるようにセルＣ４１，Ｃ４２への信号のビームフォーミングを行う。ステップＳ１７０４，Ｓ１７０６，Ｓ１７０８において、移動局Ｕ２は、セルＣ４１，Ｃ４２への干渉が小さくなるようにセルＣ２３への信号のビームフォーミングを行う。
【０１３３】
ステップＳ１７０９〜Ｓ１７１４は、ステップＳ１７０１〜Ｓ１７０６と同様であるため説明を省略する。このように、移動局Ｕ１および移動局Ｕ２に対する協調受信を行いながら、ＣｏＭＰ情報の送受信を定期的に行うことで、移動局Ｕ１や移動局Ｕ２の移動などにより無線伝搬特性が変動しても適切な協調受信を行うことができる。
【０１３４】
図１８は、上りリンクにおける協調セルの定期的な更新の一例を示すシーケンス図である。図１８に示すステップＳ１８０１〜Ｓ１８０４は、図１６に示したステップＳ１６０１〜Ｓ１６０４と同様である。ステップＳ１８０４の後に一定時間が経過すると、基地局Ｎ４が、セルＣ４１を用いて周辺セル推定要求を移動局Ｕ１へ送信する（ステップＳ１８０５）。つぎに、移動局Ｕ１が、ステップＳ１８０５によって送信された周辺セル推定要求に対する推定要求応答をセルＣ４１に送信する（ステップＳ１８０６）。
【０１３５】
セルＣ４１は、ステップＳ１８０６によって送信された推定要求応答に含まれる推定結果に基づいて協調セルの候補を選択する。ここでは、セルＣ３１およびセルＣ４２が協調セルの候補として選択されたとする。
【０１３６】
つぎに、基地局Ｎ４が、協調セルの候補として選択されなかったセルＣ２３を管理する基地局Ｎ２に対して協調通信終了通知を送信する（ステップＳ１８０７）。つぎに、基地局Ｎ２が、ステップＳ１８０７によって送信された協調通信終了通知に対する終了通知応答を基地局Ｎ４へ送信する（ステップＳ１８０８）。
【０１３７】
つぎに、基地局Ｎ４が、協調セルの候補として選択したセルＣ３１に対して協調通信要求を送信する（ステップＳ１８０９）。つぎに、基地局Ｎ３が、ステップＳ１８０９によって送信された協調通信要求に対する協調受信の可否を示す協調通信要求応答を基地局Ｎ４へ送信する（ステップＳ１８１０）。ここでは、協調受信が可能であることを示す協調通信要求応答が基地局Ｎ３から基地局Ｎ４へ送信されたとする。
【０１３８】
これにより、セルＣ２３およびセルＣ４２を用いた協調受信から、セルＣ３１およびセルＣ４２を用いた協調受信に切り替えることができる。このように、移動局Ｕ１における伝搬損失を定期的に推定して協調セルを更新することで、移動局Ｕ１の移動などにより無線伝搬特性が変動しても適切な協調受信を行うことができる。
【０１３９】
（移動局の移動速度に基づく重み付け係数の設定）
基地局Ｎ４は、上記（６）式の係数ｗiをたとえば上記（３）式によって設定することで、遅延量τiと推定速度ｖjの積に基づいて係数ｗiを設定してもよい。
【０１４０】
図１９は、上りリンクにおける基地局の動作例２を示すフローチャートである。ここでは、遅延量τiと推定速度ｖjの積に基づいて係数ｗiを設定する場合における基地局Ｎ４の動作の一例について説明する。図１９に示すステップＳ１９０１，Ｓ１９０２は、図１５に示したステップＳ１５０１，Ｓ１５０２と同様である。ステップＳ１９０２のつぎに、基地局Ｎ４は、移動局Ｕ１の移動速度を推定する（ステップＳ１９０３）。
【０１４１】
図１９に示すステップＳ１９０４〜Ｓ１９０９は、図１５に示したステップＳ１５０３〜Ｓ１５０８と同様である。ただしステップＳ１９０４においては、ステップＳ１９０１によって取得された遅延量τiと、ステップＳ１９０３によって推定された移動局Ｕ１の推定速度ｖjと、に基づいて重み付け係数ｗiを設定する（ステップＳ１９０４）。
【０１４２】
このように、移動局Ｕ１の推定速度ｖjを推定し、遅延量τiおよび推定速度ｖjに基づいて非所属セルｉの重み付け係数ｗiを設定することで、干渉低減効果が大きい非所属セルｉを協調セルとして優先的に選択することができる。
【０１４３】
（適用可能な協調通信方式に基づく重み付け係数の設定）
基地局Ｎ４は、上記（６）式の係数ｗiをたとえば上記（４）式によって設定することで、適用可能な協調通信方式に基づいて係数ｗiを設定してもよい。
【０１４４】
図２０は、上りリンクにおける基地局の動作例３を示すフローチャートである。ここでは、適用可能な協調通信方式に基づいて係数ｗiを設定する場合における基地局Ｎ４の動作の一例について説明する。基地局Ｎ４は、まず、移動局Ｕ１の周辺セルに関する周辺セル情報を取得する（ステップＳ２００１）。周辺セル情報には、非所属セルｉの適用可能な協調通信方式を示す情報が含まれている。
【０１４５】
図２０に示すステップＳ２００２〜Ｓ２００８は、図１５に示したステップＳ１５０２〜Ｓ１５０８と同様である。ただしステップＳ２００３においては、ステップＳ２００１によって取得された周辺セル情報に含まれる非所属セルｉの適用可能な協調通信方式に基づいて非所属セルｉの重み付け係数ｗiを設定する。
【０１４６】
このように、周辺セル情報を取得し、非所属セルｉの適用可能な協調通信方式に基づいて非所属セルｉの重み付け係数ｗiを設定することで、協調通信による干渉低減効果が大きい非所属セルｉを協調セルとして選択することができる。
【０１４７】
このように、実施の形態２にかかる基地局によれば、協調受信を行う協調セルを、各セルに設定した係数により重み付けした各セルの受信電力に基づいて選択することで、干渉低減効果の大きいセルを優先的に協調セルとして選択することができる。これにより、干渉を低減し、通信品質を向上させることができる。また、干渉低減効果の小さいセルを協調セルから除外することで、協調受信のために通信を行う協調セル数、移動局における測定処理、移動局から基地局へのフィードバック情報量などを低減することができる。
【０１４８】
以上説明したように、基地局、通信方法および移動局によれば、干渉低減効果の大きいセルを優先的に協調セルとして選択し、通信品質を向上させることができる。
【０１４９】
上述した実施の形態に関し、さらに以下の付記を開示する。
【０１５０】
（付記１）移動局の周辺セルを形成する基地局に対して協調送信を要求する基地局において、
前記移動局の周辺セルについての各受信電力を取得する取得部と、
前記取得部によって取得された各受信電力を、前記周辺セルに応じた各係数で重み付けした各値を算出する算出部と、
前記算出部によって算出された各値に基づいて前記周辺セルの中から前記協調送信を要求するセルを選択する選択部と、
を備えたことを特徴とする基地局。
【０１５１】
（付記２）前記選択部によって選択されたセルを用いて前記協調送信を行う制御部を備えたことを特徴とする付記１に記載の基地局。
【０１５２】
（付記３）前記取得部は、前記移動局の所属セルの受信電力と、前記周辺セルのうちの前記所属セルとは異なる非所属セルの各受信電力と、を取得し、
前記算出部は、前記所属セルの受信電力に対する前記非所属セルの各受信電力の各比率を前記各係数で重み付けした値を算出することを特徴とする付記１に記載の基地局。
【０１５３】
（付記４）前記選択部は、前記各値を閾値と比較し、比較結果に基づいて前記協調送信を要求するセルを選択することを特徴とする付記１に記載の基地局。
【０１５４】
（付記５）前記周辺セルに応じた前記各係数を設定する設定部を備え、
前記設定部は、前記非所属セルのうちの、前記所属セルとのセル間通信の遅延量が相対的に小さい非所属セルに対して、前記遅延量が相対的に大きい非所属セルより大きな係数を設定することを特徴とする付記３に記載の基地局。
【０１５５】
（付記６）前記非所属セルの前記遅延量を取得する遅延量取得部を備え、
前記設定部は、前記遅延量取得部によって取得された遅延量に基づいて前記各係数を設定することを特徴とする付記５に記載の基地局。
【０１５６】
（付記７）前記設定部は、前記非所属セルのうちの、前記移動局の移動速度と前記遅延量との積が相対的に小さい非所属セルに対して、前記積が相対的に大きい非所属セルより大きな係数を設定することを特徴とする付記５に記載の基地局。
【０１５７】
（付記８）前記移動局の移動速度を推定する推定部を備え、
前記設定部は、前記推定部によって推定された移動速度に基づいて前記各係数を設定することを特徴とする付記７に記載の基地局。
【０１５８】
（付記９）前記周辺セルに応じた前記各係数を設定する設定部を備え、
前記設定部は、前記非所属セルに適用可能な協調通信方式に基づいて前記各係数を設定することを特徴とする付記３に記載の基地局。
【０１５９】
（付記１０）前記非所属セルから前記協調通信方式を取得する方式取得部を備え、
前記設定部は、前記方式取得部によって取得された前記協調通信方式に基づいて前記各係数を設定することを特徴とする付記９に記載の基地局。
【０１６０】
（付記１１）移動局の周辺セルを形成する基地局に対して協調受信を要求する基地局において、
前記移動局から前記移動局の周辺セルへの各干渉電力を取得する取得部と、
前記取得部によって取得された各干渉電力を、前記周辺セルに応じた各係数で重み付けした各値を算出する算出部と、
前記算出部によって算出された各値に基づいて前記周辺セルの中から前記協調受信を要求するセルを選択する選択部と、
を備えたことを特徴とする基地局。
【０１６１】
（付記１２）前記取得部は、前記周辺セルから前記移動局への各伝搬損失を前記各干渉電力として取得することを特徴とする付記１１に記載の基地局。
【０１６２】
（付記１３）移動局の周辺セルを形成する基地局に対して協調送信を要求する通信方法において、
前記移動局の周辺セルについての各受信電力を取得し、
取得された各受信電力を、前記周辺セルに応じた各係数で重み付けした各値を算出し、
算出された各値に基づいて前記周辺セルの中から前記協調送信を要求するセルを選択することを特徴とする通信方法。
【０１６３】
（付記１４）移動局の周辺セルを形成する基地局に対して協調受信を要求する通信方法において、
前記移動局から前記移動局の周辺セルへの各干渉電力を取得し、
取得された各干渉電力を、前記周辺セルに応じた各係数で重み付けした各値を算出し、
算出された各値に基づいて前記協調受信を要求するセルを選択することを特徴とする通信方法。
【０１６４】
（付記１５）自局の周辺セルからの各受信電力を前記周辺セルに応じた各係数によって重み付けされた各値に基づいて、前記周辺セルの中から選択された一部または全てのセルから協調送信されるデータを受信する受信部
を備えたことを特徴とする移動局。
【０１６５】
（付記１６）自局から自局の周辺セルへの各干渉電力を前記周辺セルに応じた各係数によって重み付けされた各値に基づいて、前記周辺セルの中から選択された一部または全てのセルで協調受信されるデータを送信する送信部
を備えたことを特徴とする移動局。
【符号の説明】
【０１６６】
１０，２０  通信システム
Ｃ１〜Ｃ３，Ｃ１１〜Ｃ１３，Ｃ２１〜Ｃ２３，Ｃ３１〜Ｃ３３，Ｃ４１〜Ｃ４３，Ｃ５１〜Ｃ５３，Ｃ６１〜Ｃ６３，Ｃ７１〜Ｃ７３  セル
Ｓ１〜Ｓ３  参照信号
Ｎ１〜Ｎ７  基地局
Ｕ１，Ｕ２  移動局
【国際調査報告】
2011052067.tif 000037
2011052067.tif 000038